(57)【要約】【課題】個々の単位パネルの向きに係らず、各単位パネルの温度上昇を抑制して良好な画質および長寿命化を実現することができるマルチパネル式画像表示装置を提供する。【解決手段】複数の単位パネル１００を組み合わせたマルチパネル式画像表示装置１であって、複数の単位パネル１００はそれぞれ、画像を表示する表示パネル部と、表示パネル部の画像表示面とは反対側の面を覆うように配されるとともに複数の通気口が設けられて成る背面カバーと、複数の通気口の少なくとも１つに取着されたファンと、表示パネル部の温度を検出する温度検出部と、画像表示面と直交する仮想直線を軸とした自単位パネルの回転角を検出する角度検出部と、温度検出部の検出結果および角度検出部の検出結果に基づいてファンの駆動を制御する制御部と、を備える。【選択図】図１
2013228588.tif 000002
【特許請求の範囲】
【請求項１】
複数の単位パネルを組み合わせたマルチパネル式画像表示装置であって、
前記複数の単位パネルはそれぞれ、画像を表示する表示パネル部と、前記表示パネル部の画像表示面とは反対側の面を覆うように配されるとともに複数の通気口が設けられて成る背面カバーと、前記複数の通気口の少なくとも１つに取着されたファンと、前記表示パネル部の温度を検出する温度検出部と、前記画像表示面と直交する仮想直線を軸とした自単位パネルの回転角を検出する角度検出部と、前記温度検出部の検出結果および前記角度検出部の検出結果に基づいて前記ファンの駆動を制御する制御部と、を備える
ことを特徴とするマルチパネル式画像表示装置。
【請求項２】
前記制御部は、前記ファンが自単位パネルの中心を通る水平な線である水平中心線よりも鉛直上方に位置しているか鉛直下方に位置しているかを前記角度検出部の検出結果から判別し、前記ファンが前記水平中心線よりも鉛直上方に位置している場合には、前記温度検出部の検出結果が所定の閾温度以上の場合に、前記ファンに対して前記背面カバー内方の空気を外部へと排気するように駆動制御する
ことを特徴とする請求項１に記載のマルチパネル式画像表示装置。
【請求項３】
前記制御部は、前記ファンが自単位パネルの中心を通る水平な線である水平中心線よりも鉛直上方に位置しているか鉛直下方に位置しているかを前記角度検出部の検出結果から判別し、前記ファンが前記水平中心線よりも鉛直下方に位置している場合には、前記温度検出部の検出結果が所定温度以上の場合に、前記ファンに対して前記背面カバー内方へと外気を吸気するように駆動制御する
ことを特徴とする請求項１に記載のマルチパネル式画像表示装置。
【請求項４】
前記制御部は、前記温度検出部の検出結果が前記所定温度よりも高いほど回転速度が速くなるように前記ファンを駆動制御する
ことを特徴とする請求項１に記  載のマルチパネル式画像表示装置。
【請求項５】
前記単位パネルは、平面視形状が矩形であり、前記複数の通気口のうち少なくとも２つは、前記単位パネルの対角線上に配設され、前記対角線上に配設された通気口には、前記ファンがそれぞれ取着されている
ことを特徴とする請求項１に記載のマルチパネル式画像表示装置。
【請求項６】
前記複数の通気口のうち４つは、前記単位パネルの対角線上にそれぞれ配置され、前記対角線上に配置された４つの通気口には、前記ファンがそれぞれ取着されている
ことを特徴とする請求項５に記載のマルチパネル式画像表示装置。
【請求項７】
前記複数の単位パネルは、異なる複数サイズの単位パネルを含み、
前記異なる複数サイズの単位パネルのうち、最大サイズの単位パネルが中央位置に配置され、よりサイズの小さな単位パネルが前記最大サイズの単位パネルの周囲に配置されている
ことを特徴とする請求項１に記載のマルチパネル式画像表示装置。
【請求項８】
前記単位パネルは、平面視形状が矩形であり、前記水平中心線よりも鉛直上方に位置する前記通気口と鉛直下方に位置する前記通気口とでは、前記単位パネルの中心を通る垂直な中心線までの水平方向の距離が異なる
ことを特徴とする請求項２に記載のマルチパネル式画像表示装置。
【請求項９】
前記単位パネルは、プラズマディスプレイ、液晶ディスプレイ、有機ＥＬディスプレイ、フィールドエミッションディスプレイ、表面電界ディスプレイのいずれかである
ことを特徴とする請求項１に記載のマルチパネル式画像表示装置。
【発明の詳細な説明】
【技術分野】
【０００１】
本発明は、プラズマディスプレイパネル（ＰＤＰ：Ｐｌａｓｍａ  Ｄｉｓｐｌａｙ  Ｐａｎｅｌ）や液晶表示ディスプレイ装置（ＬＣＤ：Ｌｉｑｕｉｄ  Ｃｒｙｓｔａｌ  Ｄｉｓｐｌａｙ）や有機発光ダイオード（ＯＬＥＤ：Ｏｒｇａｎｉｃ  Ｌｉｇｈｔ  Ｅｍｉｔｔｉｎｇ  Ｄｉｏｄｅ）を用いたディスプレイ装置、ＦＤＰ（Ｆｉｅｌｄ  Ｅｍｉｓｓｉｏｎ  Ｄｉｓｐｌａｙ）、表面電界ディスプレイ（ＳＥＤ：Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などのディスプレイ装置を単位パネルとして、これらの単位パネルが複数組み合わされて構成された所謂マルチパネル式画像表示装置に関する。特に、個々の単位パネルの内的および外的要因に起因するマルチパネル式画像表示装置の温度ムラを抑制して画質の向上を図る技術に関する。
【背景技術】
【０００２】
近年、表示画面の大型化の要求が高まっており、ＰＤＰ、ＬＣＤ、エレクトロルミネセンス（ＥＬ：Ｅｌｅｃｔｒｏ−Ｌｕｍｉｎｅｓｃｅｎｃｅ）ディスプレイ装置等の各種ディスプレイ装置について大サイズの表示画面（表示パネル部）を実現するディスプレイ装置の開発が進められている。
このように各種ディスプレイ装置について大画面化の開発が盛んに進められてはいるものの、例えば、広告目的などの用途に用いられる非常に大きなサイズの表示画面の場合、単独のディスプレイ装置によって実現するのは困難である。そこで、このようなディスプレイ装置を単位パネルとして、単位パネルが複数配列されて構成された、いわゆるマルチ画面（マルチパネル）によってこのような大サイズ表示画面を実現する方法が、近年盛んに提案されている（例えば、特許文献１参照）。
【０００３】
このようなマルチパネル式画像表示装置に用いられる単位パネルでは、ドライバにおける発熱といった単位パネル内部の要因により局所的に高温となる部分が発生して、単位パネル内部に温度ムラが生じる場合がある。すると、高温になった部分の表示パネルにおいて輝度や色味が他の箇所と異なり、輝度ムラや色ムラが生じ、画質低下に繋がる。
そこで、発熱源であるドライバに近い発光素子には低い電圧を印加し、ドライバから遠い発光素子には高い電圧を印加して輝度ムラを抑制する構成が特許文献２に開示されている。
【０００４】
また、ファンを用いて、下側に配置された排気部から表示装置内部の高温の空気を排気し、上側に配置された吸気部から外部の低温の空気を吸気して、表示装置内部の温度ムラを抑制する構成が特許文献３に開示されている。
さらに、冷陰極蛍光管をバックライト光源とする液晶表示装置において、冷陰極蛍光管を温度が高い上側ほど広いピッチで、温度の低い下側ほど狭いピッチで配置して輝度ムラを抑制する構成が特許文献４に記載されている。
【先行技術文献】
【特許文献】
【０００５】
【特許文献１】特開平５−１３７０９７号公報
【特許文献２】特開２００６−９１８６０号公報
【特許文献３】ＷＯ２００７／０４３２２１号公報
【特許文献４】ＷＯ２００８／０６５７６７号公報
【発明の概要】
【発明が解決しようとする課題】
【０００６】
マルチパネル式画像表示装置において、単位パネルが配列される向きは、縦置きで配列されたり横置きで配列されたり、使用されるシチュエーションや目的によって様々である。
しかし、上記のような表示装置は、特定の向きに配置されることを想定しており、想定された向きで配置されない場合には、温度ムラ、輝度ムラ、色ムラの抑制効果が十分に得られないという問題がある。
【０００７】
本発明は上記課題に鑑みてなされたものであり、単位パネルが複数組み合わされて構成されたマルチパネル式画像表示装置において、単位パネルが配置される向きに係らずそれぞれの単位パネルの温度むらを抑制して輝度ムラや色ムラを抑制し、良好な画質を備えたマルチパネル式画像表示装置を提供することを目的とする。
【課題を解決するための手段】
【０００８】
上述した目的を実現するため、本発明の一態様に係るマルチパネル式画像表示装置は、複数の単位パネルを組み合わせたマルチパネル式画像表示装置であって、前記複数の単位パネルはそれぞれ、画像を表示する表示パネル部と、前記表示パネル部の画像表示面とは反対側の面を覆うように配されるとともに複数の通気口が設けられて成る背面カバーと、前記複数の通気口の少なくとも１つに取着されたファンと、前記表示パネル部の温度を検出する温度検出部と、前記画像表示面と直交する仮想直線を軸とした自単位パネルの回転角を検出する角度検出部と、前記温度検出部の検出結果および前記角度検出部の検出結果に基づいて前記ファンの駆動を制御する制御部と、を備えることを特徴とする。
【発明の効果】
【０００９】
本発明の一態様に係るマルチパネル式画像表示装置によれば、それぞれの単位パネルが自単位パネルの向きを検出し、当該検出された向きに応じてファン駆動制御を行うことができる。そのため、それぞれの単位パネルが、向きに係らず効果的に温度上昇を抑制することができる。これにより、それぞれの単位パネルにおいて、向きに係らず輝度ムラや色ムラなどの画質不良の発生や短寿命化を抑制することができ、ひいては、マルチパネル式画像表示装置全体として良好な画質および長寿命化を図ることができる。
【図面の簡単な説明】
【００１０】
【図１】実施形態１に係るマルチパネル式画像表示装置の概略構成を示す図であって、（ａ）は正面図であり、（ｂ）は背面図である。
【図２】実施形態１に係るマルチパネル式画像表示装置を構成する単位パネルの概略構成を示す外観斜視図である。
【図３】実施形態１に係る単位パネルの概略構成を示す背面図である。
【図４】実施形態１に係る単位パネルの概略構成を示す断面図である。
【図５】実施形態１に係る単位パネルの制御部の概略構成を模式的に示すブロック図である。
【図６】実施形態１に係る単位パネルの４つのポジションであるＰＯＳ１〜ＰＯＳ４における概略構成を模式的に示す背面図であって、（ａ）はＰＯＳ１を、（ｂ）はＰＯＳ２を、（ｃ）はＰＯＳ３を、（ｄ）はＰＯＳ４を示す。
【図７】実施形態１に係る単位パネルにおけるファン駆動制御において、ポジションとファンの駆動方法との対応関係を示すテーブルである。
【図８】実施形態１に係る単位パネルにおけるファン駆動制御処理の内容を示すフローチャートである。
【図９】実施形態２に係る単位パネルの４つのポジションであるＰＯＳ１〜ＰＯＳ４における概略構成を模式的に示す背面図であって、（ａ）はＰＯＳ１を、（ｂ）はＰＯＳ２を、（ｃ）はＰＯＳ３を、（ｄ）はＰＯＳ４を示す。
【図１０】実施形態２に係る単位パネルにおけるファン駆動制御において、ポジションとファンの駆動方法との対応関係を示すテーブルである。
【図１１】実施形態２に係る単位パネルにおけるファン駆動制御処理の内容を示すフローチャートである。
【図１２】実施形態３に係る単位パネルの４つのポジションであるＰＯＳ１〜ＰＯＳ４における概略構成を模式的に示す背面図であって、（ａ）はＰＯＳ１を、（ｂ）はＰＯＳ２を、（ｃ）はＰＯＳ３を、（ｄ）はＰＯＳ４を示す。
【図１３】実施形態３に係る単位パネルにおけるファン駆動制御において、ポジションとファンの駆動方法との対応関係を示すテーブルである。
【図１４】実施形態３に係る単位パネルにおけるファン駆動制御処理の内容を示すフローチャートである。
【図１５】実施形態４に係る単位パネルの４つのポジションであるＰＯＳ１〜ＰＯＳ４における概略構成を模式的に示す背面図であって、（ａ）はＰＯＳ１を、（ｂ）はＰＯＳ２を、（ｃ）はＰＯＳ３を、（ｄ）はＰＯＳ４を示す。
【図１６】実施形態４に係る単位パネルにおけるファン駆動制御において、ポジションとファンの駆動方法との対応関係を示すテーブルである。
【図１７】実施形態４に係る単位パネルにおけるファン駆動制御処理の内容を示すフローチャートである。
【図１８】実施形態５に係る単位パネルの４つのポジションであるＰＯＳ１〜ＰＯＳ４における概略構成を模式的に示す背面図であって、（ａ）はＰＯＳ１を、（ｂ）はＰＯＳ２を、（ｃ）はＰＯＳ３を、（ｄ）はＰＯＳ４を示す。
【図１９】実施形態５に係る単位パネルにおけるファン駆動制御において、ポジションとファンの駆動方法との対応関係を示すテーブルである。
【図２０】実施形態５に係る単位パネルにおけるファン駆動制御処理の内容を示すフローチャートである。
【図２１】実施形態６に係る単位パネルの４つのポジションであるＰＯＳ１〜ＰＯＳ４における概略構成を模式的に示す背面図であって、（ａ）はＰＯＳ１を、（ｂ）はＰＯＳ２を、（ｃ）はＰＯＳ３を、（ｄ）はＰＯＳ４を示す。
【図２２】実施形態６に係る単位パネルにおけるファン駆動制御において、単位パネル内部の温度と温度レベルおよびファン駆動の強度との対応関係を示すテーブルである。
【図２３】実施形態６に係る単位パネルにおけるファン駆動制御処理の内容の一部を示すフローチャートである。
【図２４】実施形態７に係るファン駆動制御において、単位パネル内部の温度と温度レベルおよびファンの駆動強度との対応関係を示すテーブルである。
【図２５】実施形態７に係るファン駆動制御処理の内容の一部を示すフローチャートである。
【図２６】実施形態７に係るファン駆動制御処理の内容の一部を示すフローチャートである。
【図２７】実施形態７に係るファン駆動制御処理の内容の一部を示すフローチャートである。
【図２８】実施形態７に係るファン駆動制御処理の内容の一部を示すフローチャートである。
【図２９】実施形態７に係るファン駆動制御処理の内容の一部を示すフローチャートである。
【図３０】実施形態７に係るファン駆動制御処理の内容の一部を示すフローチャートである。
【図３１】変形例１に係る単位パネルの４つのポジションであるＰＯＳ１〜ＰＯＳ４における概略構成を模式的に示す背面図であって、（ａ）はＰＯＳ１を、（ｂ）はＰＯＳ２を、（ｃ）はＰＯＳ３を、（ｄ）はＰＯＳ４を示す。
【図３２】変形例１に係る単位パネルにおけるファン駆動制御において、ポジションとファンの駆動方法との対応関係を示すテーブルである。
【図３３】変形例１に係る単位パネルにおけるファン駆動制御処理の内容を示すフローチャートである。
【図３４】変形例２に係る単位パネルの４つのポジションであるＰＯＳ１〜ＰＯＳ４における概略構成を模式的に示す背面図であって、（ａ）はＰＯＳ１を、（ｂ）はＰＯＳ２を、（ｃ）はＰＯＳ３を、（ｄ）はＰＯＳ４を示す。
【図３５】変形例２に係る単位パネルにおけるファン駆動制御において、ポジションとファンの駆動方法との対応関係を示すテーブルである。
【図３６】変形例２に係る単位パネルにおけるファン駆動制御処理の内容を示すフローチャートである。
【図３７】変形例３に係るマルチパネル式画像表示装置の概略構成を示す図であって、（ａ）は正面図であり、（ｂ）は背面図である。
【図３８】変形例４に係るマルチパネル式画像表示装置の概略構成を示す図であって、（ａ）は正面図であり、（ｂ）は背面図である。
【図３９】（ａ）は、変形例５に係るマルチパネル式画像表示装置を構成する単位パネルの概略構成を示す背面図であり、（ｂ）は、変形例５に係るマルチパネル式画像表示装置の概略構成を示す背面図である。
【発明を実施するための形態】
【００１１】
≪本発明の一態様の概要≫
マルチパネル式画像表示装置では、上記のような単位パネル内部の要因に加えて、例えば、屋外での広告用に用いられる場合など、日光が当たることにより温度上昇が引き起こされる場合がある。すると温度が上昇した部分の輝度や色味が他の部分と異なり、マルチパネル式画像表示装置に表示される全体としての画像に輝度ムラや色ムラが生じ、画質が低下するという問題が発生する。
【００１２】
加えて、これらの単位パネルに使用されているガラス基板等の透明基板が高温になって膨張すると歪みやクラック等が生じ、画質の低下や単位パネルの短寿命へと繋がる。
このように、マルチパネル式画像表示装置においては、温度上昇を引き起こす要因が多く存在し、特に日光の場合などコントロールが非常に困難なため、個々の単位パネルの温度上昇抑制が特に重要である。
【００１３】
しかし、単位パネルが特定の向きに配置されなければ、温度ムラ、輝度ムラ、色ムラの抑制効果が十分に得られない場合、単位パネルを配列する向きが、当該特定の向きに限定されてしまう。即ち、マルチパネル式画像表示装置を構成する際に全ての単位パネルを当該特定の向きで配列しなくてはならず、マルチパネル式画像表示装置を構成する際の自由度が低くなる。
【００１４】
また、ユーザや施工業者が予め決められた向きを無視して好き勝手に単位パネルを組み合わせてマルチパネル式画像表示装置を構成することも十分に考えられる。そのような場合に、特定の向きに配置されていない単位パネルにおいては、単位パネルの温度上昇や温度不均衡を効果的に抑制することができずに輝度ムラや色ムラが発生してしまうこととなり、さらには、短寿命化が促進されてしまうこととなる。
【００１５】
また、マルチパネル式画像表示装置において、単位パネルが配列される向きは、全て縦置きか横置きで配列される場合に限られず、縦置きと横置きを組み合わせて構成される場合もある。特に、複数サイズの単位パネルを組み合わせて構成する場合には、最大サイズの単位パネルを中央部に配置し、その周囲によりサイズの小さな単位パネルを縦置きと横置きを組み合わせて配置する構成を採用することができる。このような構成にすると、最も重要な情報が表示される中央部に最大サイズの単位パネルを配置することにより、継ぎ目のない良好な画質で最も重要な情報を表示することができるため、非常に有用である。そのため、マルチパネル式画像表示装置においては、それぞれの単位パネルが、向きに係らず温度上昇を効果的に抑制することが重要である。
【００１６】
そこで、本発明の一態様に係るマルチパネル式画像表示装置は、複数の単位パネルを組み合わせたマルチパネル式画像表示装置であって、前記複数の単位パネルはそれぞれ、画像を表示する表示パネル部と、前記表示パネル部の画像表示面とは反対側の面を覆うように配されるとともに複数の通気口が設けられて成る背面カバーと、前記複数の通気口の少なくとも１つに取着されたファンと、前記表示パネル部の温度を検出する温度検出部と、前記画像表示面と直交する仮想直線を軸とした自単位パネルの回転角を検出する角度検出部と、前記温度検出部の検出結果および前記角度検出部の検出結果に基づいて前記ファンの駆動を制御する制御部と、を備えることを特徴とする。
【００１７】
これにより、制御部が、ファンの駆動を制御して、単位パネル内部の温かい空気を効率的に排出して温度の低い外気を取り入れることができるため、表示パネル部の過度な温度上昇および温度不均衡を抑制して、輝度ムラや色ムラの発生および短寿命化を抑制することができる。
また、本発明の一態様に係るマルチパネル式画像表示装置の特定の局面では、前記制御部は、前記ファンが自単位パネルの中心を通る水平な線である水平中心線よりも鉛直上方に位置しているか鉛直下方に位置しているかを前記角度検出部の検出結果から判別し、前記ファンが前記水平中心線よりも鉛直上方に位置している場合には、前記温度検出部の検出結果が所定の閾温度以上の場合に、前記ファンに対して前記背面カバー内方の空気を外部へと排気するように駆動制御することを特徴とする。
【００１８】
また、本発明の一態様に係るマルチパネル式画像表示装置の特定の局面では、前記制御部は、前記ファンが自単位パネルの中心を通る水平な線である水平中心線よりも鉛直上方に位置しているか鉛直下方に位置しているかを前記角度検出部の検出結果から判別し、前記ファンが前記水平中心線よりも鉛直下方に位置している場合には、前記温度検出部の検出結果が所定温度以上の場合に、前記ファンに対して前記背面カバー内方へと外気を吸気するように駆動制御することを特徴とする。
【００１９】
また、本発明の一態様に係るマルチパネル式画像表示装置の特定の局面では、前記制御部は、前記温度検出部の検出結果が前記所定温度よりも高いほど回転速度が速くなるように前記ファンを駆動制御することを特徴とする。
また、本発明の一態様に係るマルチパネル式画像表示装置の特定の局面では、前記単位パネルは、平面視形状が矩形であり、前記複数の通気口のうち少なくとも２つは、前記単位パネルの対角線上に配設され、前記対角線上に配設された通気口には、前記ファンがそれぞれ取着されていることを特徴とする。
【００２０】
また、本発明の一態様に係るマルチパネル式画像表示装置の特定の局面では、前記複数の通気口のうち４つは、前記単位パネルの対角線上にそれぞれ配置され、前記対角線上に配置された４つの通気口には、前記ファンがそれぞれ取着されていることを特徴とする。
また、本発明の一態様に係るマルチパネル式画像表示装置の特定の局面では、前記複数の単位パネルは、異なる複数サイズの単位パネルを含み、前記異なる複数サイズの単位パネルのうち、最大サイズの単位パネルが中央位置に配置され、よりサイズの小さな単位パネルが前記最大サイズの単位パネルの周囲に配置されていることを特徴とする。
【００２１】
また、本発明の一態様に係るマルチパネル式画像表示装置の特定の局面では、前記単位パネルは、平面視形状が矩形であり、前記水平中心線よりも鉛直上方に位置する前記通気口と鉛直下方に位置する前記通気口とでは、前記単位パネルの中心を通る垂直な中心線までの水平方向の距離が異なることを特徴とする。
また、本発明の一態様に係るマルチパネル式画像表示装置の特定の局面では、前記単位パネルは、プラズマディスプレイ、液晶ディスプレイ、有機ＥＬディスプレイ、フィールドエミッションディスプレイ、表面電界ディスプレイのいずれかであることを特徴とする。
【００２２】
≪実施形態≫
以下、本発明の一実施の形態に係るマルチパネル式画像表示装置について、図面を用いて説明する。
なお、以下で説明するのは、あくまでも本発明の一実施の形態であって、これらの単位パネルの配置のしかたおよび構成に限定されるものでないことは言うまでもない。
【００２３】
また、本明細書においては、単位パネルの「向き」とは、単位パネルの画像表示面に直交する仮想直線を軸とした単位パネルの回転角により規定される単位パネルの配置される姿勢の意味で用いている。なお、単位パネルは、通常、平面視形状が矩形であり、載置される向きは、矩形の長辺が水平となる状態と垂直となる状態に限られる。即ち、矩形の長辺を下にして単位パネルが配置されている状態を「横置き」、長辺が垂直となるように単位パネルが配置されている状態を「縦置き」である。従って、本明細書における各実施形態および各変形例の説明においては、矩形の一方の長辺を下にして配置されている状態を基準（回転角＝０度）とした場合の、回転角０度（横置き）、９０度（縦置き）、１８０度（横置き）、２７０度（縦置き）の４つの向きを想定している。
【００２４】
＜実施形態１＞
［マルチパネル式画像表示装置の構成］
図１は、実施形態１に係るマルチパネル式画像表示装置１の概略構成を示す図である。図１（ａ）は、マルチパネル式画像表示装置１の正面図であり、図１（ｂ）は、その背面図である。同図に示すように、マルチパネル式画像表示装置１は、サイズの異なる複数の単位パネルが組み合わされて構成された画像表示部２と、画像表示部２の周囲を囲んで保持するフレーム部３と、フレーム部３に設けられたスピーカー４とから構成されている。画像表示部２は、３種類のサイズの単位パネルから構成されている。最も大きなサイズの単位パネル１００ａが中央部に横置きに配置され、最も小さいサイズの単位パネル１００ｂが単位パネル１００ａの上下（Ｚ軸方向）にそれぞれ４台ずつ合計８台が横置きに配置されている。そして、単位パネル１００ａの両脇（Ｙ軸方向）にそれぞれ中間サイズの単位パネル１００ｃが縦置きに２台ずつ積み重ねられた状態で合計４台配置されている。
【００２５】
なお、単位パネル１００ａ，１００ｂ，１００ｃは、サイズが異なる以外は、基本的な構成はどれも同じである。以下、特に単位パネルのサイズを区別する必要が無い場合には、単に単位パネル１００として説明する。
［単位パネルの構成］
図２は、単位パネル１００の概略構成を模式的に示す斜視図である。図３は、単位パネル１００の概略構成を模式的に示す背面図である。図４は、図２の仮想平面Ｓによる単位パネル１００の断面を矢印Ａの方向に見た矢視断面図である。なお、図３および図４における一点鎖線Ｊ１は、単位パネル１００の中心を通る水平な直線である水平中心線を表す。
【００２６】
単位パネル１００は、平面視形状が矩形をした所謂フラットパネルディスプレイ装置であり、本実施形態においては、ＰＤＰ装置である。単位パネル１００は、フロントカバー２０とバックカバー３０とで外枠が形成され、フロントカバー２０におけるＸ軸方向手前の開口部分から画像を表示する表示パネル部であるＰＤＰ１０の画像表示領域が露出された形態を有する。ＰＤＰ１０の平面視形状もまた、矩形である。
【００２７】
図４に示すように、フロントカバー２０内には、ＰＤＰ１０が配設され、画像表示面である前面１０ｆが外方（Ｘ方向）に向けて露出している。ＰＤＰ１０の背面１０ｂは、フロントカバー２０の内方に向けられている。
また、バックカバー３０は、フロントカバー２０におけるＰＤＰ１０の前面１０ｆの反対側である背面１０ｂを覆うように設けられており、制御部４０および吸排気用のファン５１，５２が内蔵されている。制御部４０は、ファン５１，５２の駆動制御を行うためのものであり、フロントカバー２０の支持体部分２１の背面２１ｂ（−Ｘ方向側の面）に取り付けられ、ＰＤＰ１０に対して電気的に接続されている（図示を省略）。フロントカバー２０とバックカバー３０との間には、内方空間６０が設けられている。
【００２８】
フロントカバー２０の支持体部分２１の前面２１ｆ（Ｘ方向側の面）中央部分には、ＰＤＰ１０の中央部分の温度を検出するための温度検出部７０が取着されている。本実施形態においては、温度検出部７０には非接触の温度センサが用いられている。ＰＤＰ１０の背面１０ｂと支持体部分２１の前面２１ｆとの間には隙間が設けられており、温度検出部７０は、ＰＤＰ１０の背面１０ｂとは接触していない。温度検出部７０は、非接触にＰＤＰ１０の温度を検出する。非接触の温度センサとしては、例えば、サーモパイルを利用した赤外線温度センサや、ＰＤＰ１０とは非接触で配置されたサーミスタを用いることができる。
【００２９】
また、支持体部分２１の背面２１ｂには、単位パネル１００の向きを検出する角度検出部８０が取着されている。角度検出部８０は、ＰＤＰ１０の画像表示面である前面１０ｆに直交する仮想直線を軸とした単位パネル１００の回転角を検出して、単位パネル１００の向きを検出する。角度検出部８０としては、具体的には例えば、角速度センサを用いた傾斜計が用いられる。
【００３０】
なお、ここでは、図示を省略するが、ＰＤＰに画像を表示させるための駆動回路ユニットがフロントカバー２０の支持体部分に取り付けられている。
図３および図４に示すように、バックカバー３０には、水平中心線Ｊ１よりも下方（−Ｚ方向）に通気口３１１，３１２が、上方（Ｚ方向）に通気口３２１，３２２が、それぞれＹ軸方向における両端部近傍に１つずつ設けられている。通気口３１１，３１２，３２１，３２２は、それぞれ微小な貫通孔が多数集まって構成されている。微小な貫通孔の直径は、具体的には、例えば、１．０ｍｍ〜６．０ｍｍ程度であるが、これに限定されない。
【００３１】
ファン５１，５２は、バックカバー３０の内壁面において、通気口３２１，３２２にそれぞれ取着されている。即ち、ファン５１，５２は、水平中心線Ｊ１よりも上方に設けられている。本実施形態においては、ファン５１，５２は、所謂、軸流ファンであり、詳しい図示は省略するが、図４のＸ軸方向に回転軸が配され、その回転軸の周りを羽根部が回転する構成を有するものである。また、ファン５１，５２は、羽根部の回転方向を切り替えて、吸気と排気の両方の用途に使用可能なものである。図４の矢印は、ファン５１（およびファン５２）が排気駆動された場合の内方空間６０内の空気の流れを示している。内方空間６０の上方に存在する暖められた空気がファン５１により通気口３２から外部へと排気され、通気口３１から外部の冷たい空気が内方空間６０の内部へと引き込まれる。こうして、内方空間６０において下方から上方へと向かう空気の流れが生じる。これにより、内方空間６０内の暖められた空気を効率よく排出し、外部の冷たい空気を導入して、内方空間６０の気温を下げることができる。そして、フロントカバー２０およびＰＤＰ１０の温度も低下させることができる。
【００３２】
なお、図３においては、通気口３１１，３１２と通気口３２１，３２２とを区別しやすいように、通気口３１１，３１２の方がＹ軸方向においてより広い領域に形成されているが、これに限られない。吸排気を円滑に行うことができれば、通気口が形成される領域の大きさおよび形状はどのような形態でもよい。以下、各実施形態および各変形例においても同様である。
【００３３】
［制御部］
図５は、制御部４０の構成を示すブロック図である。同図に示すように制御部４０は主な構成要素として、ＣＰＵ（Ｃｅｎｔｒａｌ  Ｐｒｏｃｅｓｓｉｎｇ  Ｕｎｉｔ）４１、記憶部４２等を備える。記憶部４２は、ＲＯＭ（Ｒｅａｄ  Ｏｎｌｙ  Ｍｅｍｏｒｙ）等の不揮発性メモリーやＲＡＭ（Ｒａｎｄｏｍ  Ａｃｃｅｓｓ  Ｍｅｍｏｒｙ）等の揮発性メモリーを有する。
【００３４】
ＣＰＵ４１は、記憶部４２の不揮発性メモリーから必要なプログラムを読み出し、後述するファン駆動制御処理を実行する。
記憶部４２は、ファン駆動制御処理を実行する際に必要な、単位パネル１００のポジション（向き）とファン駆動との対応関係を記録したテーブル等を不揮発性メモリーに記憶している。詳しくは後述する。
【００３５】
［単位パネルのポジション］
図６は、単位パネル１００のポジション（向き）を模式的に示す背面図である。図６（ａ）は、ファン５１，５２が共に上方に位置するように単位パネル１００を横置きに配置した場合を示す背面図であり、上下正しく配置された状態である。このときの単位パネル１００の状態を基準（回転角＝０度）とし、ポジションをＰＯＳ１とする。図６（ｂ）は、ファン５１が上方に、ファン５２が下方に位置するように単位パネル１００を縦置きに配置した場合を示す背面図であり、単位パネル１００を背面から見た場合にＰＯＳ１の状態から時計回りに９０度回転させた状態（回転角＝９０度）に相当する。このときの単位パネル１００のポジションをＰＯＳ２とする。図６（ｂ）に示す一点鎖線は、ＰＯＳ２における単位パネル１００の水平中心線Ｊ２である。図６（ｃ）は、ファン５１，５２が共に下方に位置するように単位パネル１００を横置きに配置した場合を示す背面図である。これは、所謂上下逆さまに配置された状態であり、単位パネル１００を背面から見た場合にＰＯＳ２の状態から時計回りに９０度回転させた状態（回転角＝１８０度）に相当する。このときの単位パネル１００のポジションをＰＯＳ３とする。図６（ｃ）に示す一点鎖線は、ＰＯＳ３における単位パネル１００の水平中心線Ｊ３である。図６（ｄ）は、ファン５１が下方に、ファン５２が上方に位置するように単位パネル１００を縦置きに配置した場合を示す背面図である。単位パネル１００を背面から見た場合にＰＯＳ３の状態から時計回りに９０度回転させた状態（回転角＝２７０度）に相当する。このときの単位パネル１００のポジションをＰＯＳ４とする。図６（ｄ）に示す一点鎖線は、ＰＯＳ４における単位パネル１００の水平中心線Ｊ４である。
【００３６】
［ファン駆動制御］
図７は、実施形態１における単位パネル１００のポジションとファン５１，５２の駆動方法との対応関係を示すテーブルである。当該テーブルは、制御部４０の記憶部４２（図５参照）に記憶されている。
図８は、実施形態１におけるファン駆動制御処理の内容を示すフローチャートである。このファン駆動制御処理は、記憶部４２に記憶された制御プログラムに従って、ＣＰＵ４１等により実行される。なお、図示していないが、単位パネル１００全体を制御するメインルーチンが別途有り、当該メインルーチンにおいてファン駆動制御処理のサブルーチンがコールされる毎に実行される。このコールは、例えば単位パネル１００の電源がＯＮになっている間、所定時間間隔ごと、具体的には、数秒間隔ごと等に行われる。また、上記メインルーチンは、上述した駆動回路ユニットにより実行される。以下、各実施形態および各変形例においても、同様である。
【００３７】
先ず、タイマーがリセットされて（ステップＳ１）、タイマーがスタートされる（ステップＳ２）。次に、タイマーがスタートしてから５分経過したかどうかの判定が行われる（ステップＳ３）。具体的には、タイマーの値Ｔｉが５分以上であるかどうかについて判定する。タイマーの値Ｔｉが５分未満である場合は、引き続き当該判定を行う（ステップＳ３：ＮＯ、ステップＳ３）。タイマーの値Ｔｉが５分以上である場合、次に温度検出部７０による検出温度Ｔｅが所定の閾温度Ｔｅｓ以上であるかどうかについての判定を行う（ステップＳ４）。ここで、閾温度Ｔｅｓは、これよりも高い温度になると輝度や色味に影響が生じ、輝度ムラや色ムラといった画質低下につながると考えられる温度の値であって、予め実験等により求められ、制御部４０の記憶部４２に記憶されている。なお、閾温度Ｔｅｓには、若干の余裕を持たせるために、上記画質低下に繋がると考えられる温度よりも幾分低い温度を設定してもよい。
【００３８】
検出温度Ｔｅが閾温度Ｔｅｓ以上でない場合、即ち検出温度Ｔｅが閾温度Ｔｅｓ未満である場合は、まだ画質に影響が出る温度には達しておらず、ファン５１，５２を駆動する必要が無いため、ファン５１，５２を停止（ＯＦＦ）状態にする（ステップＳ４：ＮＯ、ステップＳ５）。ここで、ファン５１，５２が駆動されている場合には、駆動を停止してＯＦＦにし、ファン５１，５２が駆動されていない場合には、そのままＯＦＦの状態を維持する。以下、各実施形態および各変形例において、ファンを「停止（ＯＦＦ）する」といった表現は、既にファンが停止（ＯＦＦ）状態であった場合に、当該停止（ＯＦＦ）状態を維持する場合を含む表現として用いる。
【００３９】
検出温度Ｔｅが閾温度Ｔｅｓ以上である場合には、次に単位パネル１００のポジションがＰＯＳ１であるかどうかを判定する（ステップＳ４：ＹＥＳ、ステップＳ６）。
ポジションがＰＯＳ１である場合、図７に示すテーブルを参照し、ファン５１，５２を排気駆動（ＯＵＴ）して（ステップＳ６：ＹＥＳ、ステップＳ７）、リターンする。
ステップＳ６において、単位パネル１００のポジションがＰＯＳ１でない場合、次に単位パネル１００のポジションがＰＯＳ２であるかどうかの判定を行う（ステップＳ６：ＮＯ、ステップＳ８）。
【００４０】
ポジションがＰＯＳ２である場合、図７に示すテーブルを参照し、ファン５１を排気駆動（ＯＵＴ）し、ファン５２を吸気駆動（ＩＮ）して（ステップＳ８：ＹＥＳ、ステップＳ９）、リターンする。単位パネル１００のポジションがＰＯＳ２である場合、ファン５１は上方に位置し、ファン５２は下方に位置している（図６（ｂ）参照）ので、ファン５１を排気駆動することにより、内方空間６０上方の温度の高い空気を外部へと排気し、下方に位置するファン５２を吸気駆動して冷たい外気を取り入れて、ＰＤＰ１０の温度上昇を抑制することができる。
【００４１】
ステップＳ８において、単位パネル１００のポジションがＰＯＳ２でない場合、次に単位パネル１００のポジションがＰＯＳ３であるかどうかの判定を行う（ステップＳ８：ＮＯ、ステップＳ１０）。
ポジションがＰＯＳ３である場合、図７に示すテーブルを参照し、ファン５１，５２を吸気駆動（ＩＮ）して（ステップＳ１０：ＹＥＳ、ステップＳ１１）、リターンする。単位パネル１００のポジションがＰＯＳ３である場合、ファン５１，５２は共に下方に位置し、通気口３１は上方に位置している（図６（ｃ）参照）ので、ファン５１，５２を吸気駆動することにより、冷たい外気を下方から内方空間６０に取り入れ、通気口３１から暖かい空気を外部へと押し出して排気させることができる。これにより、内方空間６０の気温上昇を抑制してＰＤＰ１０の温度上昇を抑制することができる。
【００４２】
ステップＳ１０において、単位パネル１００のポジションがＰＯＳ３でない場合は、ポジションはＰＯＳ４であるので、図７に示すテーブルを参照し、ファン５１を吸気駆動（ＩＮ）し、ファン５２を排気駆動（ＯＵＴ）して（ステップＳ１０：ＮＯ、ステップＳ１２）、リターンする。単位パネル１００のポジションがＰＯＳ４である場合、ファン５１は下方に位置し、ファン５２は上方に位置している（図６（ｄ）参照）ので、ファン５１を吸気駆動（ＩＮ）して冷たい外気を取り込むとともに、ファン５２を排気駆動（ＯＵＴ）して内方空間６０上方の温度の高い空気を外部へと排気し、内方空間６０の気温上昇を抑制してＰＤＰ１０の温度上昇を抑制することができる。
【００４３】
［実施形態１のまとめ］
以上説明したように、実施形態１に係る単位パネル１００は、自単位パネルの向き（角度）を角度検出部８０により検出し、検出された向きに基づいてファンの駆動制御を行う。これにより、単位パネル１００の向きに係らず、効率よく単位パネル内部の暖められた空気を排出して低温の外気を取り入れることができ、ＰＤＰ１０の温度上昇を抑制して、画質低下を抑制することができる。
【００４４】
従って、単位パネル１００を複数組み合わせて構成された実施形態１に係るマルチパネル式画像表示装置１においては、それぞれの単位パネル１００がそれぞれ独立して自単位パネルの向き（角度）を検出し、自単位パネルの向きに従って、ファン５１，５２の駆動制御を行うことができる。従って、個々の単位パネル１００が縦置きであるか横置きであるか、上下正しく配置されているか逆さまに配置されているかに係らず、それぞれの単位パネル１００がそれぞれのＰＤＰ１０の温度上昇を効率的に抑制することができる。これにより、マルチパネル式画像表示装置１の画像表示部２に表示される全体としての画像における輝度ムラや色ムラの発生を抑制して画質低下を抑制することができる。
【００４５】
加えて、画像表示部２を構築する際に単位パネル１００の向きや組み合わせ方の自由度が増し、組み付けの際に単位パネル１００の向きを気にしなくてもよいため、作業効率の向上に資することができる。
さらに、たとえ施工業者が間違えて単位パネルを逆さまに組み付けてしまったとしても、個々の単位パネル１００が内部の過剰な温度上昇を問題なく抑制することができるため、過熱による輝度ムラや色ムラの発生を抑制することができる。また、一度組み付けた後で間違いが発覚した場合に、再度ばらして間違えた向きに組み付けた単位パネルを正しい向きに組み付け直す必要がないため、作業効率の低下を抑制することができる。
【００４６】
またさらに、ＰＤＰ１０に用いられているガラス基板等の透明基板の歪みやクラック等の発生を抑制して、画質低下を抑制するとともに、長寿命化にも資することができる。
＜実施形態２＞
実施形態１に係る単位パネル１００においては、単位パネルが横置きの場合にファン５１，５２が共に水平中心線の同じ側に位置するように設けられていた。しかし、ファンの設置位置については、これに限られない。実施形態２では、２つのファンが互いに水平中心線を挟んで反対側に対角線上に配置されている場合について以下に説明する。
【００４７】
なお、説明の重複を避けるため、実施形態１と同じ構成要素については、同符号を付して、その説明を省略する。以下、各実施形態および各変形例についても同様である。
［単位パネルの構成およびポジション］
図９は、各ポジションにおける実施形態２に係る単位パネル２００の概略構成を模式的に示す背面図である。図９（ａ）は、所謂横置きで上下正しく配置された状態であるＰＯＳ１における単位パネル２００の背面図である。図９（ｂ）は、ＰＯＳ２における単位パネル２００の平面図である。図９（ｃ）は、ＰＯＳ３における単位パネル２００の平面図である。図９（ｄ）は、ＰＯＳ４における単位パネル２００の平面図である。図９各図における一点鎖線は、それぞれのポジションにおける水平中心線を示す。なお、ファン２５１，２５２および通気口２３１１，２３１２は、配置の位置関係が異なっている点を除いて、基本的な構成は実施形態１におけるファン５１，５２および通気口３１１，３１２と同じである。また、バックカバー２３０は、通気口が設けられている位置が異なる以外は、大きさや形状、材料等は実施形態１におけるバックカバー３０と同じである。単位パネル２００は、実施形態１に係る単位パネル１００と同様に、ＰＤＰ１０、フロントカバー２０、制御部４０、温度検出部７０、角度検出部８０等を備える。
【００４８】
図９（ａ）に示すように、ＰＯＳ１において、単位パネル２００は、水平中心線Ｊ１よりも上方にファン２５１および通気口２３１２を備え、水平中心線Ｊ１よりも下方にファン２５２および通気口２３１１を備えている。ファン２５１，２５２はそれぞれ対角線上に配置されている。同様に、通気口２３１１，２３１２もそれぞれ対角線上に配置されている。
【００４９】
図９（ｂ）に示すように、ＰＯＳ２において、ファン２５１および通気口２３１１は、水平中心線Ｊ２よりも上方に位置しており、ファン２５２および通気口２３１２は、水平中心線Ｊ２よりも下方に位置している。
図９（ｃ）に示すように、ＰＯＳ３において、ファン２５２および通気口２３１１は、水平中心線Ｊ３よりも上方に位置しており、ファン２５１および通気口２３１２は、水平中心線Ｊ３よりも下方に位置している。
【００５０】
図９（ｄ）に示すように、ＰＯＳ４において、ファン２５１および通気口２３１１は、水平中心線Ｊ４よりも下方に位置しており、ファン２５２および通気口２３１２は、水平中心線Ｊ４よりも上方に位置している。
［ファン駆動制御］
図１０は、実施形態２における単位パネル２００のポジションとファン２５１，２５２の駆動方法との対応関係を示すテーブルである。当該テーブルは、制御部４０の記憶部４２（図５参照）に記憶されている。
【００５１】
図１１は、実施形態２におけるファン駆動制御処理の内容を示すフローチャートである。
ステップＳ２１からステップＳ２６までは、図８に示すフローにおけるステップＳ１からステップＳ６までと同じであるので、ここでは説明を省略する。
ステップＳ２６において、単位パネル２００のポジションがＰＯＳ１である場合、図１０に示すテーブルを参照し、ファン２５１を排気駆動（ＯＵＴ）し、ファン２５２を吸気駆動（ＩＮ）して（ステップＳ２６：ＹＥＳ、ステップＳ２７）、リターンする。単位パネル２００のポジションがＰＯＳ１である場合、水平中心線Ｊ１よりも上方に位置するファン２５１を排気駆動し、下方に位置するファン２５２を吸気駆動することにより、上方の温度の高い空気を外部へと排気し、下方から冷たい外気を取り入れて、ＰＤＰ１０の温度上昇を抑制することができる。またこのとき、内方空間において生じる下方から上方への空気の流れにより、水平中心線Ｊ１より下方に位置する通気口２３１１から外気が流入し、水平中心線Ｊ１よりも上方に位置する通気口２３１２から暖められた空気が流出する。
【００５２】
ステップＳ２６において、単位パネル２００のポジションがＰＯＳ１でない場合、続いて単位パネル２００のポジションがＰＯＳ２であるかどうかの判定を行う（ステップＳ２６：ＮＯ、ステップＳ２８）。
ポジションがＰＯＳ２である場合、図１０に示すテーブルを参照し、ファン２５１を排気駆動（ＯＵＴ）し、ファン２５２を吸気駆動（ＩＮ）して（ステップＳ２８：ＹＥＳ、ステップＳ２９）、リターンする。単位パネル２００のポジションがＰＯＳ２である場合、ファン２５１は水平中心線Ｊ２よりも上方に位置し、ファン２５２は下方に位置している（図９（ｂ）参照）。従って、ファン２５１を排気駆動することにより、内方空間６０上方の温度の高い空気を外部へと排気し、下方に位置するファン２５２を吸気駆動して冷たい外気を取り入れて、ＰＤＰ１０の温度上昇を抑制することができる。またこのとき、内方空間において生じる下方から上方への空気の流れにより、水平中心線Ｊ２よりも下方に位置する通気口２３１２から外気が流入し、上方に位置する通気口２３１１から暖められた空気が流出する。
【００５３】
ステップＳ２８において、単位パネル２００のポジションがＰＯＳ２でない場合、次に単位パネル２００のポジションがＰＯＳ３であるかどうかの判定を行う（ステップＳ２８：ＮＯ、ステップＳ３０）。
ポジションがＰＯＳ３である場合、図１０に示すテーブルを参照し、ファン２５１を吸気駆動（ＩＮ）し、ファン２５２を排気駆動（ＯＵＴ）して（ステップＳ３０：ＹＥＳ、ステップＳ３１）、リターンする。単位パネル２００のポジションがＰＯＳ３である場合、ファン２５１は水平中心線Ｊ３よりも下方に位置し、ファン２５２は上方に位置している（図９（ｃ）参照）。従って、ファン２５２を排気駆動することにより、内方空間上方の暖められた空気を外部へと排気し、ファン２５１を吸気駆動して冷たい外気を取り入れて、ＰＤＰ１０の温度上昇を抑制することができる。またこのとき、内方空間において生じる下方から上方への空気の流れにより、水平中心線Ｊ３よりも下方に位置する通気口２３１２から外気が流入し、上方に位置する通気口２３１１から暖かい空気が流出する。
【００５４】
ステップＳ３０において、単位パネル２００のポジションがＰＯＳ３でない場合は、ポジションはＰＯＳ４であるので、図１０に示すテーブルを参照し、ファン２５１を吸気駆動（ＩＮ）し、ファン２５２を排気駆動（ＯＵＴ）して（ステップＳ３０：ＮＯ、ステップＳ３２）、リターンする。単位パネル２００のポジションがＰＯＳ４である場合、ファン２５１は水平中心線Ｊ４よりも下方に位置し、ファン２５２は上方に位置している（図９（ｄ）参照）。従って、ファン２５２を排気駆動することにより、内方空間上方の暖められた空気を外部へと排気し、ファン２５１を吸気駆動して冷たい外気を取り入れて、ＰＤＰ１０の温度上昇を抑制することができる。またこのとき、内方空間において生じる下方から上方への空気の流れにより、水平中心線Ｊ４よりも下方に位置する通気口２３１１から外気が流入し、上方に位置する通気口２３１２から暖かい空気が流出する。
【００５５】
［実施形態２のまとめ］
以上説明したように、実施形態２に係る単位パネル２００によっても、単位パネル２００の向きに係らず、効率よく単位パネル内部の暖められた空気を排出して低温の外気を取り入れることができ、ＰＤＰ１０の温度上昇を抑制して、画質低下を抑制することができる。これにより、単位パネル２００を複数用いて構成されたマルチパネル式画像表示装置において表示される全体としての画像における輝度ムラや色ムラの発生を抑制して画質低下を抑制することができる。
【００５６】
また、実施形態１における場合と同様の理由から、作業効率の向上や長寿命化の効果も期待することができる。
＜実施形態３＞
実施形態１および２においては、吸気駆動と排気駆動とを切り替え可能なファンを用いた例について説明した。しかし、これに限られない。実施形態３においては、排気機能のみを有し吸気機能を備えないファンを用いた構成について以下に説明する。
【００５７】
本実施形態においては、実施形態２に係る単位パネル２００の構成に、排気機能のみを有するファンを適用した場合を例に説明する。
［単位パネルの構成およびポジション］
図１２は、各ポジションにおける実施形態３に係る単位パネル３００の概略構成を模式的に示す背面図である。
図１２（ａ）は、所謂上下正しく配置された状態であるＰＯＳ１における単位パネル３００の背面図である。図１０（ｂ）は、ＰＯＳ２における単位パネル３００の平面図である。図１２（ｃ）は、ＰＯＳ３における単位パネル３００の平面図である。図１２（ｄ）は、ＰＯＳ４における単位パネル３００の平面図である。図１２各図における一点鎖線は、それぞれのポジションにおける水平中心線を示す。なお、ファン３５１，３５２が排気機能のみを有する点を除いて、基本的な構成は実施形態２に係る単位パネル２００と同じである。
【００５８】
図１２（ａ）に示すように、ＰＯＳ１において、単位パネル３００は、水平中心線Ｊ１よりも上方にファン３５１および通気口２３１２を備え、水平中心線Ｊ１よりも下方にファン３５２および通気口２３１１を備えている。ファン３５１，３５２はそれぞれ対角線上に配置されている。同様に、通気口２３１１，２３１２もそれぞれ対角線上に配置されている。
【００５９】
図１２（ｂ）に示すように、ＰＯＳ２において、ファン３５１および通気口２３１１は、水平中心線Ｊ２よりも上方に位置しており、ファン３５２および通気口２３１２は、水平中心線Ｊ２よりも下方に位置している。
図１２（ｃ）に示すように、ＰＯＳ３において、ファン３５２および通気口２３１１は、水平中心線Ｊ３よりも上方に位置しており、ファン２５１および通気口２３１２は、水平中心線Ｊ３よりも下方に位置している。
【００６０】
図１２（ｄ）に示すように、ＰＯＳ４において、ファン３５１および通気口２３１１は、水平中心線Ｊ４よりも下方に位置しており、ファン３５２および通気口２３１２は、水平中心線Ｊ４よりも上方に位置している。
［ファン駆動制御］
図１３は、実施形態３における単位パネル３００のポジションとファン３５１，３５２の駆動方法との対応関係を示すテーブルである。当該テーブルは、制御部４０の記憶部４２（図５参照）に記憶されている。
【００６１】
図１４は、実施形態３におけるファン駆動制御処理の内容を示すフローチャートである。
ステップＳ４１からステップＳ４６までは、図８に示すフローにおけるステップＳ１からステップＳ６までと同じであるので、ここでは説明を省略する。
ステップＳ４６において、単位パネル３００のポジションがＰＯＳ１である場合、図１３に示すテーブルを参照し、ファン３５１を駆動（ＯＮ）し、ファン３５２は駆動しない（ＯＦＦ）（ステップＳ４６：ＹＥＳ、ステップＳ４７）で、リターンする。単位パネル３００のポジションがＰＯＳ１である場合、水平中心線Ｊ１よりも上方に位置するファン３５１を駆動することにより、上方の温度の高い空気を外部へと排気することができる。これに伴い、水平中心線Ｊ１よりも下方に位置する通気口２３１１から冷たい外気が流入し、内方空間において、下方から上方への空気の流れが発生する。またこのとき、水平中心線Ｊ１よりも下方に位置するファン３５２は駆動されておらず停止している。即ち、ファン３５２およびファン３５２が取着されている通気口３３２２は単なる通気口として機能することになり、上記空気の流れにより冷たい外気が流入する。同様に、空気の流れにより、通気口２３１２から内方空間上方の温かい空気が外へ流出する。これにより、内方空間の空気の温度上昇を抑制し、ＰＤＰ１０の温度上昇を抑制することができる。
【００６２】
ステップＳ４６において、単位パネル３００のポジションがＰＯＳ１でない場合、続いて単位パネル３００のポジションがＰＯＳ２であるかどうかの判定を行う（ステップＳ４６：ＮＯ、ステップＳ４８）。
ポジションがＰＯＳ２である場合、図１３に示すテーブルを参照し、ファン３５１を駆動（ＯＮ）し、ファン３５２は駆動しない（ＯＦＦ）（ステップＳ４８：ＹＥＳ、ステップＳ４９）で、リターンする。単位パネル３００のポジションがＰＯＳ２である場合、ファン３５１および通気口２３１１は水平中心線Ｊ２よりも上方に位置し、ファン３５２および通気口２３１２は下方に位置している（図１２（ｂ）参照）。従って、ファン３５１を駆動することにより、内方空間上方の温度の高い空気を外部へと排気すると、下方に位置する通気口２３１２から冷たい外気が流入する。これにより、内方空間において、下方から上方への空気の流れが生じる。またこのとき、下方に位置するファン３５２は駆動されておらず停止している。従って、ファン３５２およびファン３５２が取着されている通気口３３２２は単なる通気口として機能することになり、上記空気の流れにより冷たい外気が流入する。同様に、上記空気の流れにより、上方に位置する通気口２３１１から内方空間情報の温かい空気が外に流出する。これにより、内方空間の空気の温度上昇を抑制し、ＰＤＰ１０の温度上昇を抑制することができる。
【００６３】
ステップＳ４８において、単位パネル３００のポジションがＰＯＳ２でない場合、次に単位パネル３００のポジションがＰＯＳ３であるかどうかの判定を行う（ステップＳ４８：ＮＯ、ステップＳ５０）。
ポジションがＰＯＳ３である場合、図１３に示すテーブルを参照し、ファン３５１を駆動せず（ＯＦＦ）、ファン３５２を駆動（ＯＮ）して（ステップＳ５０：ＹＥＳ、ステップＳ５１）、リターンする。単位パネル３００のポジションがＰＯＳ３である場合、ファン３５１は水平中心線Ｊ３よりも下方に位置し、ファン３５２は上方に位置している（図１２（ｃ）参照）。従って、ファン３５２を駆動させることにより、内方空間上方の暖められた空気を外部へと排気すると、それに伴って下方に位置する通気口２３１２から外気が流入する。これにより、内方空間に下方から上方への空気の流れが発生する。このとき、下方に位置するファン３５１は停止しており、ファン３５１およびファン３５１が取着されている通気口３３２１は単なる通気口として機能する。そして、上記空気の流れにより、冷たい外気が流入する。同様に空気の流れにより上方に位置する通気口２３１１からは内方空間上方の空気が外部に流出する。これにより、内方空間の空気の温度上昇を抑制し、ＰＤＰ１０の温度上昇を抑制することができる。
【００６４】
ステップＳ５０において、単位パネル３００のポジションがＰＯＳ３でない場合は、ポジションはＰＯＳ４であるので、図１３に示すテーブルを参照し、ファン３５１を駆動せず（ＯＦＦ）ファン３５２を駆動（ＯＮ）して（ステップＳ５０：ＮＯ、ステップＳ５２）、リターンする。単位パネル３００のポジションがＰＯＳ４である場合、ファン３５１は水平中心線Ｊ４よりも下方に位置し、ファン３５２は上方に位置している（図１２（ｄ）参照）。従って、ファン３５２を駆動することにより、内方空間上方の暖められた空気を外部へと排気すると、それに伴って下方に位置する通気口２３１１から外気が流入する。これにより、内方空間に下方から上方への空気の流れが発生する。このとき、下方に位置するファン３５１は停止しており、ファン３５１およびファン３５１が取着されている通気口３３２１は単なる通気口として機能する。そして、上記空気の流れにより、これらを介して冷たい外気が流入する。同様に内方空間の空気の流れにより上方に位置する通気口２３１２からは内方空間上方の温かい空気が外部に流出する。これにより、内方空間の空気の温度上昇を抑制し、ＰＤＰ１０の温度上昇を抑制することができる。
【００６５】
［実施形態３のまとめ］
以上説明したように、実施形態３に係る単位パネル３００によっても、単位パネル３００の向きに係らず、ファンのＯＮ／ＯＦＦの簡単な制御により、単位パネル内部の暖められた空気を排出して低温の外気を取り入れることができ、ＰＤＰ１０の温度上昇を抑制して、画質低下を抑制することができる。これにより、単位パネル３００を複数用いて構成されたマルチパネル式画像表示装置において表示される全体としての画像における輝度ムラや色ムラの発生を抑制して画質低下を抑制することができる。
【００６６】
また、実施形態１および２における場合と同様の理由から、作業効率の向上や長寿命化の効果も期待することができる。
＜実施形態４＞
実施形態１〜３においては、単位パネルにファンが２つ備えられた構成について説明した。しかし、ファンの数はこれに限定されるものではない。実施形態４においては、単位パネルの４隅にファンが１つずつ、合計４つ備えられた構成について以下に説明する。
【００６７】
［単位パネルの構成およびポジション］
図１５は、各ポジションにおける実施形態４に係る単位パネル４００の概略構成を模式的に示す背面図である。図１５（ａ）は、所謂上下正しく横置きに配置された状態であるＰＯＳ１における単位パネル４００の背面図である。図１５（ｂ）は、ＰＯＳ２における単位パネル４００の平面図である。図１５（ｃ）は、ＰＯＳ３における単位パネル４００の平面図である。図１５（ｄ）は、ＰＯＳ４における単位パネル４００の平面図である。図１５各図における一点鎖線は、それぞれのポジションにおける水平中心線を示す。
【００６８】
なお、ファン４５１，４５２，４５３，４５４は、それぞれの基本的な構成は実施形態１におけるファン５１，５２と同じである。また、通気口４３２１，４３２２，４３２３，４３２４は、それぞれの基本的な構成は実施形態１における通気口３２１，３２２と同じである。また、バックカバー２３０は、通気口が設けられている位置や通気口のサイズおよび形状が異なる以外は、バックカバー自体の大きさや形状、材料等は実施形態１におけるバックカバー３０と同じである。単位パネル４００は、実施形態１に係る単位パネル１００と同様に、ＰＤＰ１０、フロントカバー２０、制御部４０、温度検出部７０、角度検出部８０等を備える。
【００６９】
図１５（ａ）に示すように、ＰＯＳ１において、単位パネル４００は、水平中心線Ｊ１よりも上方にファン４５１，４５２を備え、水平中心線Ｊ１よりも下方にファン４５３，４５４を備えている。
図１５（ｂ）に示すように、ＰＯＳ２において、ファン４５１，４５４は、水平中心線Ｊ２よりも上方に位置しており、ファン４５２，４５３は、水平中心線Ｊ２よりも下方に位置している。
【００７０】
図１５（ｃ）に示すように、ＰＯＳ３において、ファン４５３，４５４は、水平中心線Ｊ３よりも上方に位置しており、ファン４５１，４５２は、水平中心線Ｊ３よりも下方に位置している。
図１５（ｄ）に示すように、ＰＯＳ４において、ファン４５２，４５３は、水平中心線Ｊ４よりも上方に位置しており、ファン４５１，４５４は、水平中心線Ｊ４よりも下方に位置している。
【００７１】
［ファン駆動制御］
図１６は、実施形態４における単位パネル４００のポジションとファン４５１，４５２，４５３，４５４の駆動方法との対応関係を示すテーブルである。当該テーブルは、制御部４０の記憶部４２（図５参照）に記憶されている。
図１７は、実施形態４におけるファン駆動制御処理の内容を示すフローチャートである。
【００７２】
ステップＳ６１からステップＳ６３までは、図８に示すフローにおけるステップＳ１からステップＳ３までと同じであるので、ここでは説明を省略する。
ステップＳ６４において、温度検出部７０の検出温度Ｔｅが閾温度Ｔｅｓ以上でない場合、即ち、検出温度Ｔｅが閾温度Ｔｅｓ未満である場合は、ファンを駆動すべき温度には達していないので、ファン４５１，４５２，４５３，４５４を停止（ＯＦＦ）状態にする（ステップＳ６４：ＮＯ、ステップＳ６５）。ここで、ファン４５１，４５２，４５３，４５４のなかに駆動されてものがある場合には、当該ファンの駆動を停止して全てのファンをＯＦＦにし、駆動されているものが無い場合には、そのまま全てのファンをＯＦＦ状態に維持する。
【００７３】
検出温度Ｔｅが閾温度Ｔｅｓ以上である場合には、次に単位パネル４００のポジションがＰＯＳ１であるかどうかを判定する（ステップＳ６６）。
ポジションがＰＯＳ１である場合、図１６に示すテーブルを参照し、ファン４５１，４５２を排気駆動（ＯＵＴ）し、ファン４５３，４５４を吸気駆動（ＩＮ）して（ステップＳ６６：ＹＥＳ、ステップＳ６７）、リターンする。
【００７４】
ステップＳ６６において、単位パネル４００のポジションがＰＯＳ１でない場合、次に単位パネル４００のポジションがＰＯＳ２であるかどうかの判定を行う（ステップＳ６６：ＮＯ、ステップＳ６８）。
ポジションがＰＯＳ２である場合、図１６に示すテーブルを参照し、ファン４５１，４５４を排気駆動（ＯＵＴ）し、ファン４５２，４５３を吸気駆動（ＩＮ）して（ステップＳ６８：ＹＥＳ、ステップＳ６９）、リターンする。単位パネル４００のポジションがＰＯＳ２である場合、ファン４５１，４５４は水平中心線Ｊ２よりも上方に位置し、ファン４５２，４５３は下方に位置している（図１５（ｂ）参照）ので、ファン４５１，４５４を排気駆動することにより、内方空間上方の温度の高い空気を外部へと排気し、下方に位置するファン４５２，４５３を吸気駆動して冷たい外気を取り入れて、ＰＤＰ１０の温度上昇を抑制することができる。
【００７５】
ステップＳ６８において、単位パネル４００のポジションがＰＯＳ２でない場合、次に単位パネル４００のポジションがＰＯＳ３であるかどうかの判定を行う（ステップＳ６８：ＮＯ、ステップＳ７０）。
ポジションがＰＯＳ３である場合、図１６に示すテーブルを参照し、ファン４５１，４５２を吸気駆動（ＩＮ）し、ファン４５３，４５４を排気駆動（ＯＵＴ）して（ステップＳ７０：ＹＥＳ、ステップＳ７１）、リターンする。単位パネル４００のポジションがＰＯＳ３である場合、ファン４５１，４５２は共に下方に位置し、ファン４５３，４５４は上方に位置している（図１５（ｃ）参照）ので、ファン４５１，４５２を吸気駆動して冷たい外気を下方から内方空間に取り入れ、ファン４５３，４５４を排気駆動して暖かい空気を外部へと排出することができる。これにより、内方空間６０の気温上昇を抑制して、ＰＤＰ１０の温度上昇を抑制することができる。
【００７６】
ステップＳ７０において、単位パネル４００のポジションがＰＯＳ３でない場合は、ポジションはＰＯＳ４であるので、図１６に示すテーブルを参照し、ファン４５１，４５４を吸気駆動（ＩＮ）し、ファン４５２，４５３を排気駆動（ＯＵＴ）して（ステップＳ７０：ＮＯ、ステップＳ７２）、リターンする。単位パネル４００のポジションがＰＯＳ４である場合、ファン４５１，４５４は下方に位置し、ファン４５２，４５３は上方に位置している（図１５（ｄ）参照）ので、ファン４５１，４５４を吸気駆動（ＩＮ）して冷たい外気を取り込むとともに、ファン４５２，４５３を排気駆動（ＯＵＴ）して内方空間上方の温度の高い空気を外部へと排気し、内方空間の気温上昇を抑制してＰＤＰ１０の温度上昇を抑制することができる。
【００７７】
［実施形態４のまとめ］
以上説明したように、実施形態４に係る単位パネル４００によっても、単位パネル４００の向きに係らず、効率よく単位パネル内部の暖められた空気を排出して低温の外気を取り入れることができ、ＰＤＰ１０の温度上昇を抑制して、画質低下を抑制することができる。これにより、単位パネル４００を複数用いて構成されたマルチパネル式画像表示装置において表示される全体としての画像における輝度ムラや色ムラの発生を抑制して画質低下を抑制することができる。
【００７８】
また、実施形態１における場合と同様の理由から、作業効率の向上や長寿命化の効果も期待することができる。
＜実施形態５＞
さらには、単位パネルにファンが１つのみ備えられた構成とすることも可能である。
［単位パネルの構成およびポジション］
図１８は、各ポジションにおける実施形態５に係る単位パネル５００の概略構成を模式的に示す背面図である。図１８（ａ）は、所謂上下正しく横置きに配置された状態であるＰＯＳ１における単位パネル５００の背面図である。図１８（ｂ）は、ＰＯＳ２における単位パネル５００の平面図である。図１８（ｃ）は、ＰＯＳ３における単位パネル５００の平面図である。図１８（ｄ）は、ＰＯＳ４における単位パネル５００の平面図である。図１８各図における一点鎖線は、それぞれのポジションにおける水平中心線を示す。
【００７９】
なお、ファン５５１は、基本的な構成は実施形態１におけるファン５１，５２と同じである。また、通気口５３１１，５３１２，５３１３，５３１４は、それぞれの基本的な構成は実施形態１における通気口３１１，３１２と同じである。また、バックカバー５３０は、通気口が設けられている位置や通気口のサイズおよび形状が異なる以外は、バックカバー自体の大きさや形状、材料等は実施形態１におけるバックカバー３０と同じである。単位パネル５００は、実施形態１に係る単位パネル１００と同様に、ＰＤＰ１０、フロントカバー２０、制御部４０、温度検出部７０、角度検出部８０等を備える。
【００８０】
図１８（ａ）に示すように、ＰＯＳ１において、単位パネル５００は、水平中心線Ｊ１よりも上方にファン５５１および通気口５３１１を備え、水平中心線Ｊ１よりも下方に通気口５３１２，５３１３を備えている。
図１８（ｂ）に示すように、ＰＯＳ２において、ファン５５１および通気口５３１３は、水平中心線Ｊ２よりも上方に位置しており、通気口５３１１，５３１２は、水平中心線Ｊ２よりも下方に位置している。
【００８１】
図１８（ｃ）に示すように、ＰＯＳ３において、通気口５３１２，５３１３は、水平中心線Ｊ３よりも上方に位置しており、ファン５５１および通気口５３１１は、水平中心線Ｊ３よりも下方に位置している。
図１８（ｄ）に示すように、ＰＯＳ４において、通気口５３１１，５３１２は、水平中心線Ｊ４よりも上方に位置しており、ファン５５１および通気口５３１３は、水平中心線Ｊ４よりも下方に位置している。
【００８２】
［ファン駆動制御］
図１９は、実施形態５における単位パネル５００のポジションとファン５５１の駆動方法との対応関係を示すテーブルである。当該テーブルは、制御部４０の記憶部４２（図５参照）に記憶されている。
図２０は、実施形態５におけるファン駆動制御処理の内容を示すフローチャートである。
【００８３】
ステップＳ８１からステップＳ８３までは、図８に示すフローにおけるステップＳ１からステップＳ３までと同じであるので、ここでは説明を省略する。
ステップＳ８４において、温度検出部７０の検出温度Ｔｅが閾温度Ｔｅｓ以上でない場合、即ち、検出温度Ｔｅが閾温度Ｔｅｓ未満である場合は、ファンを駆動すべき温度には達していないので、ファン５５１を停止（ＯＦＦ）状態にする（ステップＳ８４：ＮＯ、ステップＳ８５）。ここで、ファン５５１が既に駆動されている場合は、ファン５５１の駆動を停止してファンをＯＦＦにし、駆動されていない場合は、そのままＯＦＦ状態を維持する。
【００８４】
検出温度Ｔｅが閾温度Ｔｅｓ以上である場合には、次に単位パネル５００のポジションがＰＯＳ１であるかどうかを判定する（ステップＳ８６）。
ポジションがＰＯＳ１である場合、図１９に示すテーブルを参照し、ファン５５１を排気駆動（ＯＵＴ）して（ステップＳ８６：ＹＥＳ、ステップＳ８７）、リターンする。
ステップＳ８６において、単位パネル５００のポジションがＰＯＳ１でない場合、次に単位パネル５００のポジションがＰＯＳ２であるかどうかの判定を行う（ステップＳ８６：ＮＯ、ステップＳ８８）。
【００８５】
ポジションがＰＯＳ２である場合、図１９に示すテーブルを参照し、ファン５５１を排気駆動（ＯＵＴ）して（ステップＳ８８：ＹＥＳ、ステップＳ８９）、リターンする。単位パネル５００のポジションがＰＯＳ２である場合、ファン５５１は水平中心線Ｊ２よりも上方に位置している（図１８（ｂ）参照）ので、ファン５５１を排気駆動することにより、内方空間上方の温度の高い空気を外部へと排気することができる。これに伴い、下方に位置する通気口５３１１，５３１２から冷たい外気が流入し、内方空間において下方から上方への空気の流れが生じる。そして、この空気の流れにより押し出されて、内方空間上方の温かい空気が上方に位置する通気口５３１３から外に流出する。これにより、内方空間の気温上昇を抑制して、ＰＤＰ１０の温度上昇を抑制することができる。
【００８６】
ステップＳ８８において、単位パネル５００のポジションがＰＯＳ２でない場合、次に単位パネル５００のポジションがＰＯＳ３であるかどうかの判定を行う（ステップＳ８８：ＮＯ、ステップＳ９０）。
ポジションがＰＯＳ３である場合、図１９に示すテーブルを参照し、ファン５５１を吸気駆動（ＩＮ）して（ステップＳ９０：ＹＥＳ、ステップＳ９１）、リターンする。単位パネル５００のポジションがＰＯＳ３である場合、ファン５５１は下方に位置している（図１８（ｃ）参照）ので、ファン５５１を吸気駆動して冷たい外気を下方から内方空間に取り入れることができる。これに伴い、内方空間上方の温かい空気が上方に位置する通気口５３１２，５３１３から外部へと押し出される。そして、内方空間において下方から上方への空気の流れが生じる。この空気の流れにより、下方に位置する通気口５３１１からも内方空間へと外気が流入する。これにより、内方空間の気温上昇を抑制して、ＰＤＰ１０の温度上昇を抑制することができる。
【００８７】
ステップＳ９０において、単位パネル５００のポジションがＰＯＳ３でない場合は、ポジションはＰＯＳ４であるので、図１９に示すテーブルを参照し、ファン５５１を吸気駆動（ＩＮ）して（ステップＳ９０：ＮＯ、ステップＳ９２）、リターンする。単位パネル５００のポジションがＰＯＳ４である場合、ファン５５１は下方に位置している（図１８（ｄ）参照）ので、ファン５５１を吸気駆動（ＩＮ）して冷たい外気を内方空間に取り込むことができる。これに伴い、内方空間上方の温かい空気が上方に位置する通気口５３１１，５３１２から外部へと押し出される。そして、内方空間において下方から上方への空気の流れが生じる。この空気の流れにより、下方に位置する通気口５３１３からも内方空間へと外気が流入する。これにより、内方空間の気温上昇を抑制して、ＰＤＰ１０の温度上昇を抑制することができる。
【００８８】
［実施形態５のまとめ］
以上説明したように、実施形態５に係る単位パネル５００によっても、単位パネル５００の向きに係らず、効率よく単位パネル内部の暖められた空気を排出して低温の外気を取り入れることができ、ＰＤＰ１０の温度上昇を抑制して、画質低下を抑制することができる。これにより、単位パネル５００を複数用いて構成されたマルチパネル式画像表示装置において表示される全体としての画像における輝度ムラや色ムラの発生を抑制して画質低下を抑制することができる。
【００８９】
また、実施形態１における場合と同様の理由から、作業効率の向上や長寿命化の効果も期待することができる。
さらには、単位パネルに備えられたファンが１つのみであるため、コスト抑制および消費電力抑制に資することができる。
＜実施形態６＞
実施形態４で説明した単位パネルが４つのファンを備える構成において、実施形態３のように排気機能のみを有し吸気機能を備えないファンを適用することも可能である。
【００９０】
実施形態６においては、実施形態４に係る単位パネル４００の構成に、排気機能のみを有するファンを適用した場合を例に説明する。
［単位パネルの構成およびポジション］
図２１は、各ポジションにおける実施形態６に係る単位パネル６００の概略構成を模式的に示す背面図である。
【００９１】
図２１（ａ）は、所謂上下正しく配置された状態であるＰＯＳ１における単位パネル６００の背面図である。図２１（ｂ）は、ＰＯＳ２における単位パネル６００の平面図である。図２１（ｃ）は、ＰＯＳ３における単位パネル６００の平面図である。図２１（ｄ）は、ＰＯＳ４における単位パネル６００の平面図である。図２１各図における一点鎖線は、それぞれのポジションにおける水平中心線を示す。なお、ファン６５１，６５２，６５３，６５４が排気機能のみを有する点を除いて、基本的な構成は実施形態４に係る単位パネル４００と同じである。また、ファン６５１，６５２，６５３，６５４は、それぞれ基本的な構成は実施形態３におけるファン３５１，３５２と同じである。
【００９２】
図２１（ａ）に示すように、ＰＯＳ１においては、ファン６５１，６５２が水平中心線Ｊ１よりも上方に位置し、ファン６５３，６５４が水平中心線Ｊ１よりも下方に位置している。
図２１（ｂ）に示すように、ＰＯＳ２においては、水平中心線Ｊ２よりも上方にファン６５１，６５４が位置し、下方にファン６５２，６５３が位置している。
【００９３】
図２１（ｃ）に示すように、ＰＯＳ３においては、水平中心線Ｊ３よりも上方にファン６５３，６５４が位置し、下方にファン６５１，６５２が位置している。
図２１（ｄ）に示すように、ＰＯＳ４においては、水平中心線Ｊ４よりも上方にファン６５２，６５３が位置し、下方にファン６５１，６５４が位置している。
［ファン駆動制御］
図２２は、実施形態６における単位パネル６００のポジションとファン６５１，６５２，６５３，６５４の駆動方法との対応関係を示すテーブルである。当該テーブルは、制御部４０の記憶部４２（図５参照）に記憶されている。
【００９４】
図２３は、実施形態６におけるファン駆動制御処理の内容を示すフローチャートである。
ステップＳ１０１からステップＳ１０６までは、図１７に示すフローにおけるステップＳ６１からステップＳ６６までと同じであるので、ここでは説明を省略する。
ステップＳ１０６において、単位パネル６００のポジションがＰＯＳ１である場合、図２２に示すテーブルを参照し、ファン６５１，６５２を駆動（ＯＮ）し、ファン６５３，６５４は駆動しない（ＯＦＦ）（ステップＳ１０６：ＹＥＳ、ステップＳ１０７）で、リターンする。単位パネル６００のポジションがＰＯＳ１である場合、水平中心線Ｊ１よりも上方に位置するファン６５１，６５２を駆動することにより、上方の温度の高い空気を外部へと排気することができる。このとき、水平中心線Ｊ１よりも下方に位置するファン６５３，６５４は駆動されておらず停止している。即ち、ファン６５３，６５４およびこれらがそれぞれ取着されている通気口４３２３，４３２４は単なる通気口として機能する。従って、ファン６５１，６５２により内方空間上部の空気が外部へと排出されるのに伴って、ファン６５３，６５４および通気口４３２３，４３２４を通じて冷たい外気が流入する。これにより、内方空間の空気の温度上昇を抑制し、ＰＤＰ１０の温度上昇を抑制することができる。
【００９５】
ステップＳ１０６において、単位パネル６００のポジションがＰＯＳ１でない場合、続いて単位パネル６００のポジションがＰＯＳ２であるかどうかの判定を行う（ステップＳ１０６：ＮＯ、ステップＳ１０８）。
ポジションがＰＯＳ２である場合、図２２に示すテーブルを参照し、ファン６５１，６５４を駆動（ＯＮ）し、ファン６５２，６５３は駆動しない（ＯＦＦ）（ステップＳ１０８：ＹＥＳ、ステップＳ１０９）で、リターンする。単位パネル６００のポジションがＰＯＳ２である場合、ファン６５１，６５４は水平中心線Ｊ２よりも上方に位置し、ファン６５２，６５３は下方に位置している（図２１（ｂ）参照）。従って、ファン６５１，６５４を駆動することにより、内方空間上方の温度の高い空気を外部へと排気することができる。このとき、下方に位置するファン６５２，６５３は駆動されておらず停止している。即ち、ファン６５２，６５３およびこれらがそれぞれ取着されている通気口４３２２，４３２３は単なる通気口として機能する。従って、ファン６５１，６５４により内方空間上部の空気が外部へと排出されるのに伴って、ファン６５２，６５３および通気口４３２２，４３２３を通じて冷たい外気が流入する。これにより、内方空間の空気の温度上昇を抑制し、ＰＤＰ１０の温度上昇を抑制することができる。
【００９６】
ステップＳ１０８において、単位パネル６００のポジションがＰＯＳ２でない場合、次に単位パネル６００のポジションがＰＯＳ３であるかどうかの判定を行う（ステップＳ１０８：ＮＯ、ステップＳ１１０）。
ポジションがＰＯＳ３である場合、図２２に示すテーブルを参照し、ファン６５１，６５２を駆動せず（ＯＦＦ）、ファン６５３，６５４を駆動（ＯＮ）して（ステップＳ１１０：ＹＥＳ、ステップＳ１１１）、リターンする。単位パネル６００のポジションがＰＯＳ３である場合、ファン６５１，６５２は水平中心線Ｊ３よりも下方に位置し、ファン６５３，６５４は上方に位置している（図２１（ｃ）参照）。従って、ファン６５３，６５４を駆動することにより、内方空間上方の暖められた空気を外部へ排気することができる。このとき、下方に位置するファン６５１，６５２は駆動されておらず停止している。即ち、ファン６５１，６５２およびこれらがそれぞれ取着されている通気口４３２１，４３２２は単なる通気口として機能する。従って、ファン６５３，６５４により内方空間上部の空気が外部へと排出されるのに伴って、ファン６５１，６５２および通気口４３２１，４３２２を通じて冷たい外気が流入する。これにより、内方空間の空気の温度上昇を抑制し、ＰＤＰ１０の温度上昇を抑制することができる。
【００９７】
ステップＳ１１０において、単位パネル６００のポジションがＰＯＳ３でない場合は、ポジションはＰＯＳ４であるので、図２２に示すテーブルを参照し、ファン６５１，６５４を駆動せず（ＯＦＦ）ファン６５２，６５３を駆動（ＯＮ）して（ステップＳ１１０：ＮＯ、ステップＳ１１２）、リターンする。単位パネル６００のポジションがＰＯＳ４である場合、ファン６５２，６５３は水平中心線Ｊ４よりも上方に位置し、ファン６５１，６５４は下方に位置している（図２１（ｄ）参照）。従って、ファン６５２，６５３を駆動することにより、内方空間上方の暖められた空気を外部へと排気することができる。このとき、下方に位置するファン６５１，６５４は駆動されておらず停止している。即ち、ファン６５１，６５４およびこれらがそれぞれ取着されている通気口４３２１，４３２４は単なる通気口として機能する。従って、ファン６５２，６５３により内方空間上部の空気が外部へと排出されるのに伴って、ファン６５１，６５４および通気口４３２１，４３２４を通じて冷たい外気が流入する。これにより、内方空間の空気の温度上昇を抑制し、ＰＤＰ１０の温度上昇を抑制することができる。
【００９８】
［実施形態６のまとめ］
以上説明したように、実施形態６に係る単位パネル６００の構成によっても、単位パネル６００の向きに係らず、ファンのＯＮ／ＯＦＦの簡単な制御により、単位パネル内部の暖められた空気を排出して低温の外気を取り入れることができ、ＰＤＰ１０の温度上昇を抑制して、画質低下を抑制することができる。これにより、単位パネル６００を複数用いて構成されたマルチパネル式画像表示装置において表示される全体としての画像における輝度ムラや色ムラの発生を抑制して画質低下を抑制することができる。
【００９９】
また、実施形態１および２における場合と同様の理由から、作業効率の向上や長寿命化の効果も期待することができる。
＜実施形態７＞
実施形態１〜６においては、ファンの駆動制御に係る温度要因は、温度検出部７０の検出温度Ｔｅが、閾温度Ｔｅｓ以上であるかどうかのみであった。しかし、マルチパネル式画像表示装置が設置される環境や使用状況によっては、ＰＤＰの温度上昇速度が速く、ファンの冷却強度を最大にして急冷が必要となる場合も考えられる。かといって、いつもファンの冷却強度を最大にしてファンを駆動させると、無駄に電力を消費することとなる場合もある。
【０１００】
実施形態７では、ＰＤＰ冷却の緊急度に応じてファンの冷却強度を変更する構成について、実施形態１の単位パネル１００に適用した場合を例に、以下に説明する。
［ファン駆動制御］
図２４は、実施形態７における温度検出部７０の検出温度Ｔｅと、温度レベル、ファン５１，５２を駆動させる強度（以下、「ファン強度」という。）との対応関係を示すテーブルである。当該テーブルは、制御部４０の記憶部４２（図５参照）に記憶されている。
【０１０１】
図２４のテーブルに示すように、検出温度Ｔｅの高さによって６つのカテゴリーに分けられており、それぞれＬｖ０〜Ｌｖ５の６段階の温度レベルがあてがわれている。そして、それぞれの温度レベルに、０〜５の６段階のファン強度が対応している。
なお、温度レベルの数字が大きいほど冷却の緊急度が高く、ファン強度の数字が大きいほど冷却力が大きい、即ち、ファンの回転速度が速い。ファンの回転速度の変更は、ファンを回転駆動する不図示のモータに供給する電力の大きさを変更することにより実現することができる。また、上記モータとファンの回転軸との間に複数のギヤを配設し、ギヤを切り替えることにより実現してもよい。
【０１０２】
図２４のテーブルに示すように、検出温度Ｔｅが閾温度Ｔｅｓ未満の場合は、温度レベルＬｖ０に分類され、ファン強度は０、即ち、ＯＦＦ（停止）となっている。
検出温度ＴｅがＴｅｓ以上であって、Ｔｅｓ＋５［℃］未満の場合は、温度レベルＬｖ１に分類され、このときのファン強度は１である。
検出温度ＴｅがＴｅｓ＋５［℃］以上であって、Ｔｅｓ＋１０［℃］未満の場合は、温度レベルＬｖ２に分類され、このときのファン強度は２である。
【０１０３】
検出温度ＴｅがＴｅｓ＋１０［℃］以上であって、Ｔｅｓ＋１５［℃］未満の場合は、温度レベルＬｖ３に分類され、このときのファン強度は３である。
検出温度ＴｅがＴｅｓ＋１５［℃］以上であって、Ｔｅｓ＋２０［℃］未満の場合は、温度レベルＬｖ４に分類され、このときのファン強度は４である。
検出温度ＴｅがＴｅｓ＋２０［℃］以上の場合は、温度レベルＬｖ５に分類され、このときのファン強度は５である。なお、本実施形態においては、ファン強度５がファン駆動の最大強度である。
【０１０４】
図２５は、実施形態７におけるファン駆動制御処理の内容を示すフローチャートである。
先ず、角度検出部８０（図４参照）で角度を検出して単位パネル１００のポジションを検出し、検出されたポジションを記憶部４２（図５参照）に記憶する（ステップＳ１２１、ステップＳ１２２）。
【０１０５】
次に、タイマーをリセットして、タイマーをスタートさせる（ステップＳ１２３、ステップＳ１２４）。
続いて、タイマーがスタートしてから５分経過したかどうかの判定が行われる（ステップＳ１２５）。具体的には、タイマーの値Ｔｉが５分以上であるかどうかについて判定する。タイマーの値Ｔｉが５分未満である場合は、引き続き当該判定を行う（ステップＳ１２５：ＮＯ、ステップＳ１２５）。タイマーの値Ｔｉが５分以上である場合、次に温度検出部７０による検出温度Ｔｅを取得し、図２４に示すテーブルを参照して検出温度Ｔｅが該当する温度レベルを割り出し、温度レベルがＬｖ０であるかどうかの判定を行う（ステップＳ１２６）。
【０１０６】
温度レベルがＬｖ０である場合、図２４に示すテーブルを参照して、ファン強度０を適用する。即ち、ファン５１，５２を停止（ＯＦＦ）状態にして（ステップＳ１２６：ＹＥＳ、ステップＳ１２７）、ステップＳ１２３に戻る。ここで、ファン５１，５２が駆動されている場合には、駆動を停止してＯＦＦにし、ファン５１，５２が駆動されていない場合には、そのままＯＦＦの状態を維持する。
【０１０７】
ステップＳ１２６において、温度レベルがＬｖ０でない場合、次に、温度レベルがＬｖ１であるかどうか判定する（ステップＳ１２６：ＮＯ、ステップＳ１２８）。温度レベルがＬｖ１でない場合、次に温度レベルがＬｖ２であるかどうかを判定する（ステップＳ１２８：ＮＯ、ステップＳ１２９）。
温度レベルがＬｖ２でない場合、次に温度レベルがＬｖ３であるかどうか判定する（ステップＳ１２９：ＮＯ、ステップＳ１３０）。
【０１０８】
温度レベルがＬｖ３でない場合、次に温度レベルがＬｖ４であるかどうか判定する（ステップＳ１３０：ＮＯ、ステップＳ１３１）。
ステップＳ１２８において、温度レベルがＬｖ１である場合、図２６のフローに移行して、次に単位パネル１００のポジション情報を記憶部４２から読み出す（ステップＳ１２８：ＹＥＳ、ステップＳ１４１）。
【０１０９】
続いて、読み出したポジション情報に基づいて、単位パネル１００のポジションがＰＯＳ１であるかどうか判定する（ステップＳ１４２）。
単位パネル１００のポジションがＰＯＳ１である場合、図７および図２４のテーブルを参照して、ファン５１および５２を共に強度１で排気駆動（ＯＵＴ）し（ステップＳ１４２：ＹＥＳ、ステップＳ１４３）、リターンしてステップＳ１２３（図２５参照）に戻る。
【０１１０】
ステップＳ１４２において、単位パネル１００のポジションがＰＯＳ１でない場合、次にポジションがＰＯＳ２であるかどうか判定する（ステップＳ１４２：ＮＯ、ステップＳ１４４）。
単位パネル１００のポジションがＰＯＳ２である場合、図７および図２４のテーブルを参照して、ファン５１を強度１で排気駆動（ＯＵＴ）し、ファン５２を強度１で吸気駆動（ＩＮ）して（ステップＳ１４４：ＹＥＳ、ステップＳ１４５）、リターンしてステップＳ１２３（図２５参照）に戻る。
【０１１１】
ステップＳ１４４において、単位パネル１００のポジションがＰＯＳ２でない場合、次にポジションがＰＯＳ３であるかどうか判定する（ステップＳ１４４：ＮＯ、ステップＳ１４６）。
単位パネル１００のポジションがＰＯＳ３である場合、図７および図２４のテーブルを参照して、ファン５１および５２を共に強度１で吸気駆動（ＩＮ）し（ステップＳ１４６：ＹＥＳ、ステップＳ１４７）、リターンしてステップＳ１２３（図２５参照）に戻る。
【０１１２】
ステップＳ１４６において、単位パネル１００のポジションがＰＯＳ３でない場合は、ポジションはＰＯＳ４であるので、図７および図２４のテーブルを参照して、ファン５１を強度１で吸気駆動（ＩＮ）し、ファン５２を強度１で排気駆動（ＯＵＴ）して（ステップＳ１４６：ＮＯ、ステップＳ１４８）、リターンしてステップＳ１２３（図２５参照）に戻る。
【０１１３】
図２５のフローにおけるステップＳ１２９において、温度レベルがＬｖ２である場合、図２７のフローに移行して、次に単位パネル１００のポジション情報を記憶部４２から読み出す（ステップＳ１２９：ＹＥＳ、ステップＳ１５１）。
続いて、読み出したポジション情報に基づいて、単位パネル１００のポジションがＰＯＳ１であるかどうか判定する（ステップＳ１５２）。
【０１１４】
単位パネル１００のポジションがＰＯＳ１である場合、図７および図２４のテーブルを参照して、ファン５１および５２を共に強度２で排気駆動（ＯＵＴ）し（ステップＳ１５２：ＹＥＳ、ステップＳ１５３）、リターンしてステップＳ１２３（図２５参照）に戻る。
ステップＳ１５２において、単位パネル１００のポジションがＰＯＳ１でない場合、次にポジションがＰＯＳ２であるかどうか判定する（ステップＳ１５２：ＮＯ、ステップＳ１５４）。
【０１１５】
単位パネル１００のポジションがＰＯＳ２である場合、図７および図２４のテーブルを参照して、ファン５１を強度２で排気駆動（ＯＵＴ）し、ファン５２を強度２で吸気駆動（ＩＮ）して（ステップＳ１５４：ＹＥＳ、ステップＳ１５５）、リターンしてステップＳ１２３（図２５参照）に戻る。
ステップＳ１５４において、単位パネル１００のポジションがＰＯＳ２でない場合、次にポジションがＰＯＳ３であるかどうか判定する（ステップＳ１５４：ＮＯ、ステップＳ１５６）。
【０１１６】
単位パネル１００のポジションがＰＯＳ３である場合、図７および図２４のテーブルを参照して、ファン５１および５２を共に強度２で吸気駆動（ＩＮ）し（ステップＳ１５６：ＹＥＳ、ステップＳ１５７）、リターンしてステップＳ１２３（図２５参照）に戻る。
ステップＳ１５６において、単位パネル１００のポジションがＰＯＳ３でない場合は、ポジションはＰＯＳ４であるので、図７および図２４のテーブルを参照して、ファン５１を強度２で吸気駆動（ＩＮ）し、ファン５２を強度２で排気駆動（ＯＵＴ）して（ステップＳ１５６：ＮＯ、ステップＳ１５８）、リターンしてステップＳ１２３（図２５参照）に戻る。
【０１１７】
図２５のフローにおけるステップＳ１３０において、温度レベルがＬｖ３である場合、図２８のフローに移行して、次に単位パネル１００のポジション情報を記憶部４２から読み出す（ステップＳ１３０：ＹＥＳ、ステップＳ１６１）。
続いて、読み出したポジション情報に基づいて、単位パネル１００のポジションがＰＯＳ１であるかどうか判定する（ステップＳ１６２）。
【０１１８】
単位パネル１００のポジションがＰＯＳ１である場合、図７および図２４のテーブルを参照して、ファン５１および５２を共に強度３で排気駆動（ＯＵＴ）し（ステップＳ１６２：ＹＥＳ、ステップＳ１６３）、リターンしてステップＳ１２３（図２５参照）に戻る。
ステップＳ１６２において、単位パネル１００のポジションがＰＯＳ１でない場合、次にポジションがＰＯＳ２であるかどうか判定する（ステップＳ１６２：ＮＯ、ステップＳ１６４）。
【０１１９】
単位パネル１００のポジションがＰＯＳ２である場合、図７および図２４のテーブルを参照して、ファン５１を強度３で排気駆動（ＯＵＴ）し、ファン５２を強度３で吸気駆動（ＩＮ）して（ステップＳ１６４：ＹＥＳ、ステップＳ１６５）、リターンしてステップＳ１２３（図２５参照）に戻る。
ステップＳ１６４において、単位パネル１００のポジションがＰＯＳ２でない場合、次にポジションがＰＯＳ３であるかどうか判定する（ステップＳ１６４：ＮＯ、ステップＳ１６６）。
【０１２０】
単位パネル１００のポジションがＰＯＳ３である場合、図７および図２４のテーブルを参照して、ファン５１および５２を共に強度３で吸気駆動（ＩＮ）し（ステップＳ１６６：ＹＥＳ、ステップＳ１６７）、リターンしてステップＳ１２３（図２５参照）に戻る。
ステップＳ１６６において、単位パネル１００のポジションがＰＯＳ３でない場合は、ポジションはＰＯＳ４であるので、図７および図２４のテーブルを参照して、ファン５１を強度３で吸気駆動（ＩＮ）し、ファン５２を強度３で排気駆動（ＯＵＴ）して（ステップＳ１６６：ＮＯ、ステップＳ１６８）、リターンしてステップＳ１２３（図２５参照）に戻る。
【０１２１】
図２５のフローにおけるステップＳ１３１において、温度レベルがＬｖ４である場合、図２９のフローに移行して、次に単位パネル１００のポジション情報を記憶部４２から読み出す（ステップＳ１３１：ＹＥＳ、ステップＳ１７１）。
続いて、読み出したポジション情報に基づいて、単位パネル１００のポジションがＰＯＳ１であるかどうか判定する（ステップＳ１７２）。
【０１２２】
単位パネル１００のポジションがＰＯＳ１である場合、図７および図２４のテーブルを参照して、ファン５１および５２を共に強度４で排気駆動（ＯＵＴ）し（ステップＳ１７２：ＹＥＳ、ステップＳ１７３）、リターンしてステップＳ１２３（図２５参照）に戻る。
ステップＳ１７２において、単位パネル１００のポジションがＰＯＳ１でない場合、次にポジションがＰＯＳ２であるかどうか判定する（ステップＳ１７２：ＮＯ、ステップＳ１７４）。
【０１２３】
単位パネル１００のポジションがＰＯＳ２である場合、図７および図２４のテーブルを参照して、ファン５１を強度４で排気駆動（ＯＵＴ）し、ファン５２を強度４で吸気駆動（ＩＮ）して（ステップＳ１７４：ＹＥＳ、ステップＳ１７５）、リターンしてステップＳ１２３（図２５参照）に戻る。
ステップＳ１７４において、単位パネル１００のポジションがＰＯＳ２でない場合、次にポジションがＰＯＳ３であるかどうか判定する（ステップＳ１７４：ＮＯ、ステップＳ１７６）。
【０１２４】
単位パネル１００のポジションがＰＯＳ３である場合、図７および図２４のテーブルを参照して、ファン５１および５２を共に強度４で吸気駆動（ＩＮ）し（ステップＳ１７６：ＹＥＳ、ステップＳ１７７）、リターンしてステップＳ１２３（図２５参照）に戻る。
ステップＳ１７６において、単位パネル１００のポジションがＰＯＳ３でない場合は、ポジションはＰＯＳ４であるので、図７および図２４のテーブルを参照して、ファン５１を強度４で吸気駆動（ＩＮ）し、ファン５２を強度４で排気駆動（ＯＵＴ）して（ステップＳ１７６：ＮＯ、ステップＳ１７８）、リターンしてステップＳ１２３（図２５参照）に戻る。
【０１２５】
図２５のフローにおけるステップＳ１３１において、温度レベルがＬｖ４でない場合は、温度レベルはＬｖ５であり、図３０のフローに移行して、次に単位パネル１００のポジション情報を記憶部４２から読み出す（ステップＳ１３１：ＮＯ、ステップＳ１８１）。
続いて、読み出したポジション情報に基づいて、単位パネル１００のポジションがＰＯＳ１であるかどうか判定する（ステップＳ１８２）。
【０１２６】
単位パネル１００のポジションがＰＯＳ１である場合、図７および図２４のテーブルを参照して、ファン５１および５２を共に強度５で排気駆動（ＯＵＴ）し（ステップＳ１８２：ＹＥＳ、ステップＳ１８３）、リターンしてステップＳ１２３（図２５参照）に戻る。
ステップＳ１８２において、単位パネル１００のポジションがＰＯＳ１でない場合、次にポジションがＰＯＳ２であるかどうか判定する（ステップＳ１８２：ＮＯ、ステップＳ１８４）。
【０１２７】
単位パネル１００のポジションがＰＯＳ２である場合、図７および図２４のテーブルを参照して、ファン５１を強度５で排気駆動（ＯＵＴ）し、ファン５２を強度５で吸気駆動（ＩＮ）して（ステップＳ１８４：ＹＥＳ、ステップＳ１８５）、リターンしてステップＳ１２３（図２５参照）に戻る。
ステップＳ１８４において、単位パネル１００のポジションがＰＯＳ２でない場合、次にポジションがＰＯＳ３であるかどうか判定する（ステップＳ１８４：ＮＯ、ステップＳ１８６）。
【０１２８】
単位パネル１００のポジションがＰＯＳ３である場合、図７および図２４のテーブルを参照して、ファン５１および５２を共に強度５で吸気駆動（ＩＮ）し（ステップＳ１８６：ＹＥＳ、ステップＳ１８７）、リターンしてステップＳ１２３（図２５参照）に戻る。
ステップＳ１８６において、単位パネル１００のポジションがＰＯＳ３でない場合は、ポジションはＰＯＳ４であるので、図７および図２４のテーブルを参照して、ファン５１を強度５で吸気駆動（ＩＮ）し、ファン５２を強度５で排気駆動（ＯＵＴ）して（ステップＳ１８６：ＮＯ、ステップＳ１８８）、リターンしてステップＳ１２３（図２５参照）に戻る。
【０１２９】
［実施形態７のまとめ］
以上説明したように、実施形態７に係るファン駆動制御処理方法によっても、単位パネル１００の向きに係らず、効率よく単位パネル内部の暖められた空気を排出して低温の外気を取り入れることができ、ＰＤＰ１０の温度上昇を抑制して、画質低下を抑制することができる。これに加えて、ＰＤＰ１０の検出温度が閾温度よりも高いほど、ファン駆動強度を大きくして、より迅速にＰＤＰ１０の温度を低減させることができる。これにより、ＰＤＰ１０の温度上昇をより効率的に抑制して、画質低下をより効率的に抑制することができる。
【０１３０】
これにより、単位パネル６００を複数用いて構成されたマルチパネル式画像表示装置において表示される全体としての画像における輝度ムラや色ムラの発生をより効率的に抑制して画質低下を抑制することができる。
もちろん、上記各実施形態における場合と同様に、作業効率の向上や長寿命化の効果も期待できる。
【０１３１】
実施形態７に係るファン駆動制御処理のサブルーチンにおいては、最初に角度検出部８０で角度を検出して単位パネル１００のポジションを検出し、検出されたポジションを記憶部４２に記憶する。そして、温度レベルがＬｖ１以上の場合に、記憶部４２に記憶されたポジション情報を読み出して、ファン駆動制御に用いる。上記ファン駆動制御処理のサブルーチンは、単位パネルの電源がＯＮになるとスタートし、電源がＯＮになっている間は、記憶部に記憶されている情報は保持される。そして、電源が一度ＯＦＦにされ、再びＯＮになると、上記サブルーチンが新たにスタートしてポジションを検出し、検出されたポジション情報を記憶する。ここで、ポジション情報を記憶する記憶部４２として、ＲＡＭ等の揮発性メモリーが用いられる場合には、電源がＯＦＦになると記憶されたポジション情報は保持されないので、単位パネルの電源が再びＯＮになった際に検出されたポジション情報をそのまま記憶すればよい。記憶部４２にＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等の不揮発性のメモリーを用いる場合には、単位パネルの電源がＯＦＦになってもポジション情報が保持されるため、次に電源がＯＮになった際に検出されたポジション情報によって、前のポジション情報を更新（上書き）するようにしてもよい。
【０１３２】
マルチパネル式画像表示装置の向きを変更したり、マルチパネル式画像表示装置の単位パネルをばらして別の形態に再構築したりする場合には、通常電源をＯＦＦにして行うと考えられる。そのため、実施形態７のように、最初にポジションを検出してポジション情報を記憶部に記憶し、その後は記憶部に記憶されたポジション情報を読み出して利用するようにしても、問題ないと考えられる。
【０１３３】
なお、実施形態７においては、上記のようにポジションを最初に検出して記憶部に記憶させておき、その後は記憶部からポジション情報を読み出して利用する構成について説明したが、これに限られない。実施形態１から６と同様にして、温度レベルがＬｖ１以上の場合に、温度レベルが確定した後に角度検出部８０により角度を検出し、その検出結果からポジションを検出してもよい。
【０１３４】
また、実施形態１から６のファン駆動制御処理において、実施形態７と同様に、最初にポジションを検出して、そのポジション情報を記憶部４２に記憶しておき、温度検出部７０による検出温度Ｔｅが閾温度Ｔｅｓ以上である場合に、記憶部４２からポジション情報を読み出して利用するようにしてもよい。
＜変形例＞
以上、本発明の一態様である実施形態について、実施形態１から７に基づいて説明したが、本発明は上記実施形態に限られず、以下のような変形例を実施することができる。なお、説明の重複を避けるため、上記各実施形態と同じ内容のものについてはその説明を省略し、同じ構成要素については、同符号を付すものとする。
【０１３５】
（変形例１）
実施形態１においては、ファン５１，５２に、排気駆動と吸気駆動を切り替え可能なタイプのファンを用いた。しかし、これに限られず、実施形態１に係る単位パネル１００の構成において、ファン５１，５２に代えて、実施形態３における排気機能のみを有するファン３５１，３５２を用いることも可能である。
【０１３６】
図３１は、変形例１に係る単位パネル７００の各ポジションにおける概略構成を模式的に示す背面図である。図３１（ａ）は、ＰＯＳ１における単位パネル７００の背面図である。図３１（ｂ）は、ＰＯＳ１における単位パネル７００の背面図である。図３１（ｃ）は、ＰＯＳ３における単位パネル７００の背面図である。図３１（ｄ）は、ＰＯＳ４における単位パネル７００の背面図である。
【０１３７】
単位パネル７００は、排気機能のみを有するファン３５１，３５２を備える点を除いては、基本的な構成は実施形態１に係る単位パネル１００と同じである。
図３２は、変形例１における単位パネル７００のポジションとファン３５１，３５２の駆動方法との対応関係を示すテーブルである。当該テーブルは、制御部４０の記憶部４２（図５参照）に記憶されている。
【０１３８】
図３３は、変形例１におけるファン駆動制御処理の内容を示すフローチャートである。
ステップＳ１９１からステップＳ１９４までは、図８に示すフローにおけるステップＳ１からステップＳ４までと同じであるので、ここでは説明を省略する。
ステップＳ１９４において、検出温度Ｔｅが閾温度Ｔｅｓ以上でない場合、ファン３５１，３５２は、停止（ＯＦＦ）状態にする（ステップＳ１９４：ＮＯ、ステップＳ１９５）。
【０１３９】
検出温度Ｔｅが閾温度Ｔｅｓ以上である場合には、次に単位パネル７００のポジションがＰＯＳ１であるかどうかを判定する（ステップＳ１９４：ＹＥＳ、ステップＳ１９６）。
ポジションがＰＯＳ１である場合、図３２に示すテーブルを参照し、ファン５１，５２を駆動（ＯＮ）して（ステップＳ１９６：ＹＥＳ、ステップＳ１９７）、リターンする。
【０１４０】
単位パネル７００のポジションがＰＯＳ１である場合、ファン３５１，３５２は共に水平中心線Ｊ１よりも上方に位置している（図３１（ａ）参照）。従って、ファン３５１，３５２を駆動することにより、上方の温度の高い空気を外部へと排出することができる。これに伴い、水平中心線Ｊ１よりも下方に位置する通気口３１１，３１２から冷たい外気が流入する。これにより、内方空間の気温上昇を抑制し、ＰＤＰ１０の温度上昇を抑制することができる。
【０１４１】
ステップＳ１９６において、単位パネル７００のポジションがＰＯＳ１でない場合、次に単位パネル７００のポジションがＰＯＳ２であるかどうかの判定を行う（ステップＳ１９６：ＮＯ、ステップＳ１９８）。
ポジションがＰＯＳ２である場合、図３２に示すテーブルを参照し、ファン５１を停止（ＯＦＦ）してファン５２を駆動（ＯＮ）し（ステップＳ１９８：ＹＥＳ、ステップＳ１９９）、リターンする。
【０１４２】
単位パネル７００のポジションがＰＯＳ２である場合、ファン３５１は水平中心線Ｊ２よりも上方に位置し、ファン３５２は下方に位置している（図３１（ｂ）参照）。従って、ファン３５１を駆動することにより、内方空間上方の温度の高い空気を外部へと排気することができる。これに伴い、水平中心線Ｊ２よりも下方に位置する通気口３１２から温度の低い外気が流入し、内方空間において、下方から上方への空気の流れが発生する。またこのとき、水平中心線Ｊ２よりも下方に位置するファン３５２は停止しているため、ファン３５２およびファン３５２が取着されている通気口３２２は、単なる通気口として機能する。従って、上記空気の流れにより３５２および通気口３２２を介して温度の低い外気が流入する。同様に、上記空気の流れにより、水平中心線Ｊ２よりも上方に位置する通気口３１１から内方空間上方の温かい空気が外へ流出する。これにより、内方空間の空気の温度上昇を抑制し、ＰＤＰ１０の温度上昇を抑制することができる。
【０１４３】
ステップＳ１９８において、単位パネル７００のポジションがＰＯＳ２でない場合、次に単位パネル７００のポジションがＰＯＳ３であるかどうかの判定を行う（ステップＳ１９８：ＮＯ、ステップＳ２００）。
ポジションがＰＯＳ３である場合、図３２に示すテーブルを参照し、ファン３５１，３５２を停止（ＯＦＦ）して（ステップＳ２００：ＹＥＳ、ステップＳ２０１）、リターンする。単位パネル７００のポジションがＰＯＳ３である場合、ファン３５１，３５２は共に水平中心線Ｊ３よりも下方に位置している（図３１（ｃ）参照）。このとき、ファン３５１，３５２が停止しているので、ファン３５１，３５２およびこれらがそれぞれ取着されている通気口３２１，２２は、単なる通気口として機能する。ここで、内方空間において、暖められた空気が上昇することにより、下方から上方への空気の流れが自然と発生する。これにより、内方空間上方へと移動した暖かい空気が通気口３１１，３１２から外部へと流出し、入れ替わりに温度の低い外気がファン３５１，３５２および通気口３２１，３２２から内方空間へと流入する。これにより、内方空間の気温上昇を抑制してＰＤＰ１０の温度上昇をある程度抑制することができる。
【０１４４】
ステップＳ２００において、単位パネル７００のポジションがＰＯＳ３でない場合は、ポジションはＰＯＳ４であるので、図３２に示すテーブルを参照し、ファン３５１を駆動（ＯＮ）し、ファン５２を停止（ＯＦＦ）して（ステップＳ２００：ＮＯ、ステップＳ２０２）、リターンする。
単位パネル７００のポジションがＰＯＳ４である場合、ファン３５１は水平中心線Ｊ４よりも下方に位置し、ファン３５２は上方に位置している（図３１（ｄ）参照）。従って、ファン３５２を駆動して内方空間６０上方の温度の高い空気を外部へと排気することができる。またこのとき、ファン３５１は停止しているため、ファン３５１およびファン３５１が取着されている通気口３２１は、単なる通気口として機能する。従って、ファン３５２による排気に伴って、ファン３５１および通気口３２１，３１１から外気が内方空間内へ流入する。こうして、内方空間内に下方から上方への空気の流れが発生し、これにより、水平中心線Ｊ４よりも上方に位置する通気口３１２から内方空間上方に存在する暖かい空気が外部へと流出する。このようにして、内方空間の気温上昇を抑制し、ＰＤＰ１０の温度上昇を抑制することができる。
【０１４５】
以上説明したように、変形例１に係る単位パネル７００の構成によっても、単位パネル７００の向きに係らず、ファンのＯＮ／ＯＦＦの簡単な制御により、単位パネル内部の暖められた空気を排出して低温の外気を取り入れることができ、ＰＤＰ１０の温度上昇を抑制して、画質低下を抑制することができる。これにより、単位パネル７００を複数用いて構成されたマルチパネル式画像表示装置において表示される全体としての画像における輝度ムラや色ムラの発生を抑制して画質低下を抑制することができる。
【０１４６】
なお、本変形例の単位パネル７００の構成においては、ＰＯＳ３の場合に、内方空間内の暖められた空気を積極的に外部に排出することができない。従って、単位パネル７００を用いてマルチパネル式画像表示装置を構築する場合、単位パネルのポジションを、ＰＯＳ１，ＰＯＳ２，ＰＯＳ４に限定するとよい。
（変形例２）
実施形態５に示したような単位パネルがファンを１つのみ備えた構成において、排気機能のみを備えるファンを用いることも可能である。
【０１４７】
図３４は、変形例２に係る単位パネル８００の各ポジションにおける概略構成を模式的に示す背面図である。図３４（ａ）は、ＰＯＳ１における単位パネル８００の背面図である。図３４（ｂ）は、ＰＯＳ１における単位パネル８００の背面図である。図３４（ｃ）は、ＰＯＳ３における単位パネル８００の背面図である。図３４（ｄ）は、ＰＯＳ４における単位パネル８００の背面図である。
【０１４８】
単位パネル８００は、備えられているファンが排気機能のみを有するファン３５１である点を除いては、基本的な構成は実施形態５に係る単位パネル５００と同じである。
図３５は、変形例２における単位パネル８００のポジションとファン３５１の駆動方法との対応関係を示すテーブルである。当該テーブルは、制御部４０の記憶部４２（図５参照）に記憶されている。
【０１４９】
図３６は、変形例２におけるファン駆動制御処理の内容を示すフローチャートである。
ステップＳ２１１からステップＳ２１４までは、図８に示すフローにおけるステップＳ１からステップＳ４までと同じであるので、ここでは説明を省略する。
ステップＳ２１４において、検出温度Ｔｅが閾温度Ｔｅｓ以上でない場合、ファン３５１は、停止（ＯＦＦ）状態にする（ステップＳ２１４：ＮＯ、ステップＳ２１５）。
【０１５０】
検出温度Ｔｅが閾温度Ｔｅｓ以上である場合には、次に単位パネル８００のポジションがＰＯＳ１であるかどうかを判定する（ステップＳ２１４：ＹＥＳ、ステップＳ２１６）。
ポジションがＰＯＳ１である場合、図３５に示すテーブルを参照し、ファン３５１を駆動（ＯＮ）して（ステップＳ２１６：ＹＥＳ、ステップＳ２１７）、リターンする。
【０１５１】
単位パネル８００のポジションがＰＯＳ１である場合、ファン３５１は水平中心線Ｊ１よりも上方に位置している（図３４（ａ）参照）。従って、ファン３５１を駆動することにより、内方空間上方の温度の高い空気を外部へと排出することができる。これに伴い、水平中心線Ｊ１よりも下方に位置する通気口５３１２，５３１３から冷たい外気が流入する。そして、内方空間内において、下方から上方への空気の流れが生じる。この空気の流れによって、内方空間上方の温かい空気が、水平中心線Ｊ１の上方に位置する通気口５３１１からも外部へと押し出される。これにより、内方空間の気温上昇を抑制し、ＰＤＰ１０の温度上昇を抑制することができる。
【０１５２】
ステップＳ２１６において、単位パネル８００のポジションがＰＯＳ１でない場合、次に単位パネル８００のポジションがＰＯＳ２であるかどうかの判定を行う（ステップＳ２１６：ＮＯ、ステップＳ２１８）。
ポジションがＰＯＳ２である場合、図３５に示すテーブルを参照し、ファン３５１を駆動（ＯＮ）し（ステップＳ２１８：ＹＥＳ、ステップＳ２１９）、リターンする。
【０１５３】
単位パネル８００のポジションがＰＯＳ２である場合、ファン３５１は水平中心線Ｊ１よりも上方に位置している（図３４（ｂ）参照）。従って、ファン３５１を駆動することにより、内方空間上方の温度の高い空気を外部へと排出することができる。これに伴い、水平中心線Ｊ１よりも下方に位置する通気口５３１１，５３１２から冷たい外気が流入する。そして、内方空間内において、下方から上方への空気の流れが生じる。この空気の流れによって、内方空間上方の温かい空気が、水平中心線Ｊ１の上方に位置する通気口５３１３からも外部へと押し出される。これにより、内方空間の気温上昇を抑制し、ＰＤＰ１０の温度上昇を抑制することができる。
【０１５４】
ステップＳ２１８において、単位パネル８００のポジションがＰＯＳ２でない場合、次に単位パネル８００のポジションがＰＯＳ３であるかどうかの判定を行う（ステップＳ２１８：ＮＯ、ステップＳ２２０）。
ポジションがＰＯＳ３である場合、図３５に示すテーブルを参照し、ファン３５１を停止（ＯＦＦ）して（ステップＳ２２０：ＹＥＳ、ステップＳ２２１）、リターンする。単位パネル８００のポジションがＰＯＳ３である場合、ファン３５１は水平中心線Ｊ３よりも下方に位置している（図３４（ｃ）参照）。このとき、ファン３５１は停止しているので、ファン３５１およびこれが取着されている通気口３３２１は、単なる通気口として機能する。ここで、内方空間において、暖められた空気が上昇することにより、下方から上方への空気の流れが自然と発生する。これにより、内方空間上方へと移動した暖かい空気が通気口５３１２，５３１３から外部へと流出し、入れ替わりに温度の低い外気がファン３５１および通気口３３２１，５３１１から内方空間へと流入する。これにより、内方空間の気温上昇を抑制してＰＤＰ１０の温度上昇をある程度抑制することができる。
【０１５５】
ステップＳ２２０において、単位パネル８００のポジションがＰＯＳ３でない場合は、ポジションはＰＯＳ４であるので、図３５に示すテーブルを参照し、ファン３５１を停止（ＯＦＦ）し（ステップＳ２２０：ＮＯ、ステップＳ２２２）、リターンする。
単位パネル８００のポジションがＰＯＳ４である場合、ファン３５１は水平中心線Ｊ４よりも下方に位置している（図３４（ｄ）参照）。このとき、ファン３５１は停止しているので、ファン３５１およびこれが取着されている通気口３３２１は、単なる通気口として機能する。ここで、上記ＰＯＳ３の場合と同様に、内方空間において、下方から上方への空気の流れが自然発生し、内方空間上方の暖かい空気が通気口５３１１，５３１２から外部へと流出する。そして、入れ替わりに温度の低い外気がファン３５１および通気口３３２１，５３１３から内方空間へと流入する。これにより、内方空間の気温上昇を抑制してＰＤＰ１０の温度上昇をある程度抑制することができる。
【０１５６】
以上説明したように、変形例２に係る単位パネル８００の構成によっても、単位パネル８００の向きに係らず、ファンのＯＮ／ＯＦＦの簡単な制御により、単位パネル内部の暖められた空気を排出して低温の外気を取り入れることができ、ＰＤＰ１０の温度上昇を抑制して、画質低下を抑制することができる。これにより、単位パネル８００を複数用いて構成されたマルチパネル式画像表示装置において表示される全体としての画像における輝度ムラや色ムラの発生を抑制して画質低下を抑制することができる。
【０１５７】
なお、変形例２に係る単位パネル８００の構成においては、ＰＯＳ３およびＰＯＳ４の場合に、内方空間内の暖められた空気を積極的に外部に排出することができない。従って、単位パネル８００を用いてマルチパネル式画像表示装置を構築する場合、単位パネルのポジションを、ＰＯＳ１およびＰＯＳ２に限定するとよい。
（変形例３）
上記各実施形態および各変形例において説明した単位パネルによるマルチパネル式画像表示の構成態様は、図１に示すマルチパネル式画像表示装置１の態様に限定されない。即ち、マルチパネル式画像表示装置１は、サイズの異なる複数の単位パネルが様々なポジションで組み付けられて構成されているが、これに限られない。例えば、図３７（ａ），（ｂ）に示すマルチパネル式画像表示装置１０００のように、同一サイズの単位パネル１００が全て縦置き（ＰＯＳ２，ＰＯＳ４）で組み合わされて構成されてもよい。
【０１５８】
なお、図３７（ａ）は、マルチパネル式画像表示装置１０００の正面図であり、図３７（ｂ）は、その背面図である。
また、図３７においては、変形例３に係るマルチパネル式画像表示装置１０００として、単位パネル１００のみを用いて構成した場合を例示しているが、これに限定されない。同じサイズであれば、各実施形態および各変形例に係る単位パネルを複数用いて構成してもよい。
【０１５９】
（変形例４）
さらには、同一サイズの単位パネルを用いたマルチパネル式画像表示の構成態様は、縦置きに限られない。例えば、図３８（ａ），（ｂ）に示すマルチパネル式画像表示装置２０００のように、同一サイズの単位パネル１００が全て横置き（ＰＯＳ１，ＰＯＳ３）で組み合わされて構成されてもよい。
【０１６０】
なお、図３８（ａ）は、マルチパネル式画像表示装置２０００の正面図であり、図３８（ｂ）は、その背面図である。
また、図３８においては、変形例４に係るマルチパネル式画像表示装置２０００として、単位パネル１００のみを用いて構成した場合を例示しているが、これに限定されない。同じサイズであれば、各実施形態および各変形例に係る単位パネルを複数用いて構成してもよい。
【０１６１】
（変形例５）
全ての単位パネルを同じポジションで積み重ねる場合、下段の単位パネルの水平中心線よりも上方に位置するファンや通気口と、上段の単位パネルの水平中心線よりも下方に位置するファンや通気口とが、非常に近接して配置され、且つ、垂直方向に見た場合に重なりあって配置されることになる場合がある。例えば、図３８（ｂ）に示すマルチパネル式画像表示装置２０００において、図面向かって左端の縦の列を構成する単位パネル１００ｄ１，１００ｄ２，１００ｄ３，１００ｄ４は、いずれもＰＯＳ１で上に積み重ねられた状態となっている。ここで、単位パネル１００ｄ１と１００ｄ２について見てみると、上段の単位パネル１００ｄ２の下方に位置する通気口３１１ｄ２が、下段の単位パネル１００ｄ１の上方に位置するファン５１ｄ１の真上に位置している。従って、下段の単位パネル１００ｄ１のファン５１ｄ１から排気された暖かい空気が、上段の単位パネル１００ｄ２の通気口３１１ｄ２からすぐさま単位パネル１００ｄ２内に取り込まれることとなり、上段の単位パネル１００ｄ２の温度抑制を効率よく行うことができない虞がある。
【０１６２】
同様のことが、単位パネル１００ｄ２と１００ｄ３との間や、単位パネル１００ｄ３と１００ｄ４との間にも当てはまる。従って、最上段の単位パネル１００ｄ４では、その下段に配置された単位パネル１００ｄ１，１００ｄ２，１００ｄ３でそれぞれ暖められた高温の空気が、通気口３１１ｄ４から取り込まれることにより、温度抑制効果が著しく低下する虞がある。
【０１６３】
そこで、次のような変形例を実施することができる。
図３９は、変形例５に係るマルチパネル式画像表示装置３０００および単位パネル９００の概略構成を模式的に示す図である。図３９（ａ）は、ＰＯＳ１における単位パネル９００の背面図である。図３９（ｂ）は、マルチパネル式画像表示装置３０００の背面図である。
【０１６４】
図３９（ａ）に示すように、単位パネル９００は、水平中心線Ｊ１ｈよりも上方に通気口９３２１，９３２２を備え、水平中心線Ｊ１ｈよりも下方に通気口３１１，３１２を備えている。通気口９３２１，９３２２には、それぞれファン９５１，９５２が取着されている。
同図に示すように、単位パネル９００の中心を通る垂直な直線である垂直中心線Ｊ１ｖとファン９５１が取着されている通気口９３２１との間の水平方向の距離をｄ１とし、通気口３１１と垂直中心線Ｊ１ｖとの間の水平方向の距離をｄ２とすると、ｄ１とｄ２は異なっている。具体的には、変形例５においては、ｄ２はｄ１よりも大きくなっている。従って、通気口９３２１と通気口３１１とを垂直方向に見た場合に位置がずれている。これにより、次のような効果が得られる。
【０１６５】
図３９（ｂ）に示すマルチパネル式画像表示装置３０００において、図面向かって右端の縦の列を構成する単位パネル９００ｄ１，９００ｄ２，９００ｄ３，９００ｄ４は、いずれもＰＯＳ１で上に積み重ねられた状態となっている。ここで、単位パネル９００ｄ１と９００ｄ２について見てみると、下段の単位パネル９００ｄ１の上方に位置するファン９５２ｄ１および通気口９３２２ｄ１と、上段の単位パネル９００ｄ２の下方に位置する通気口３１２ｄ２とは、垂直方向に見た場合に位置がずれている。即ち、通気口３１２ｄ２が、ファン９５２ｄ１および通気口９３２２ｄ１の真上に位置していない。従って、下段の単位パネル９００ｄ１のファン９５２ｄ１により排気された暖かい空気が、上段の単位パネル９００ｄ２の通気口３１２ｄ２からそのまますぐに取り込まれる蓋然性を減じることができる。これにより、上段の単位パネル９００ｄ２における温度抑制効果が損なわれるのを防ぐことができる。
【０１６６】
（変形例６）
上記各実施形態および各変形例では、各単位パネルの内方空間において下方から上方へと空気の流れが生じるように、水平中心線よりも上方に位置するファンおよび通気口から排気し、下方に位置するファンおよび通気口から吸気するようにファンを駆動制御する方法について説明したが、これに限られない。例えば、内方空間において上方から下方へと空気の流れが生じるように、水平中心線よりも上方に位置するファンおよび通気口から吸気し、下方に位置するファンおよび通気口から排気するようにファンを駆動制御してもよい。
【０１６７】
（変形例７）
上記各実施形態および各変形例においては、通気口は、微小な貫通孔が多数集まって構成されていたが、これら微小な貫通孔を覆うようにメッシュ状の部材をさらに設けて、ゴミ等の侵入を防止してもよい。さらには、微小な貫通孔を多数設ける代わりに、大きな開口を設け、当該開口をカバーするようにメッシュ状の部材を取着してもよい。
【０１６８】
（変形例８）
上記各実施形態および各変形例においては、タイマーが５分経過するごとに温度検出部７０による検出温度Ｔｅが閾温度Ｔｅｓ以上であるかどうかの判定を行う構成について説明したが、これに限られない。５分よりも長い時間間隔、例えば、１０分ごとに当該判定を行ってもよいし、５分よりも短い間隔、例えば、１０秒ごとに当該判定を行ってもよい。ただし、あまり間隔が長いと、次の判定が行われるタイミングが来る前にＰＤＰ１０の温度が高くなりすぎてしまう危険性が増大するので、使用される環境等を考慮した適切な間隔を設定するのが良い。
【０１６９】
（変形例９）
上記各実施形態および各変形例においては、制御部４０と駆動回路ユニットとは別体として説明したが、これに限られない。例えば、制御部４０が駆動回路ユニットの機能を兼ねてもよいし、駆動回路ユニットの機能の一部を制御部４０としてもよい。
（変形例１０）
実施形態７においては、単位パネルのポジションを最初に検出して、検出されたポジションを記憶部に記憶させておき、その後は、記憶部からポジション情報を読み出して利用する構成について説明したが、これに限られない。実施形態１から６と同様にして、温度レベルがＬｖ１以上の場合に、角度検出部８０により角度を検出し、その検出結果からポジションを検出してもよい。なお、この場合、ポジションの検出は、温度レベルが確定する前に行ってもよいし、温度レベルが確定した後に行ってもよい。
【０１７０】
（変形例１１）
実施形態１から６、および変形例１，２に係るファン駆動制御処理において、実施形態７の場合と同様に、最初に単位パネルのポジションを検出して、検出されたポジション情報を記憶部４２に記憶しておき、温度検出部７０による検出温度Ｔｅが閾温度Ｔｅｓ以上である場合に、記憶部４２から記憶されているポジション情報を読み出して利用するようにしてもよい。
【０１７１】
（変形例１２）
上記各実施形態および各変形例においては、単位パネルにＰＤＰを用いた場合を例に説明したが、これに限定されない。例えば、単位パネルとして、ＬＣＤ，有機ＥＬパネル、ＦＤＰ、ＳＥＤ等のディスプレイ装置を用いてもよい。また、全て同種のディスプレイ装置を単位パネルに用いてもよいし、これらのディスプレイ装置の中から複数種類を組み合わせて九制してもよい。例えばＰＤＰとＬＣＤとを組み合わせて構成しても良い。
【０１７２】
（変形例１３）
上記各実施形態および各変形例においては、温度検出部７０には非接触の温度センサが用いられるとしたが、これに限られず、接触式の温度センサを用いてもよい。
なお、上記各実施形態および各変形例に係るマルチパネル式画像表示装置および単位パネルの部分的な構成、並びにファン駆動制御方法の部分的な処理方法を、適宜組み合わせてなるマルチパネル式画像表示装置であっても良い。また、上記各実施の形態および各変形例における説明に記載した材料、数値等は好ましいものを例示しているだけであり、それに限定されることはない。また、各図面における各部材の寸法および比は、一例として挙げたものであり、必ずしも実在のマルチパネル式画像表示装置および単位パネルの寸法および比と一致するとは限らない。さらに、本発明の技術的思想の範囲を逸脱しない範囲で、マルチパネル式画像表示装置および単位パネルの構成に適宜変更を加えることは可能である。
【産業上の利用可能性】
【０１７３】
本発明は、単位パネルが複数配列されて構成されたマルチパネル式画像表示装置において、単位パネルの向きに係らず、各単位パネルの温度上昇を抑制して良好な画質および長寿命化を実現する技術として利用可能である。
【符号の説明】
【０１７４】
１，１０００，２０００  マルチパネル式画像表示装置
２  画像表示部
３  フレーム部
４  スピーカー
１０  ＰＤＰ
２０  フロントカバー
２１  支持体部分
３０，２３０，５３０  バックカバー
３１，３２，３１１，３１２，３２１，３２２，２３１１，２３１２，３３２１，３３２２，４３２１，４３２２，４３２３，４３２４，５３１１，５３１２，５３１３，５３１４，９３２１，９３２２  通気口
４０  制御部
４１  ＣＰＵ
４２  記憶部
５１，５２，２５１，２５２，３５１，３５２，４５１，４５２，４５３，４５４，５５１，６５１，６５２，６５３，６５４，９５１，９５２  ファン
６０  内方空間
７０  温度検出部
８０  角度検出部
１００，２００，３００，４００，５００，６００，７００，８００，９００  単位パネル
１０００，２０００，３０００  マルチパネル式画像表示装置
【図１】
2013228588.tif 000003
【図２】
2013228588.tif 000004
【図３】
2013228588.tif 000005
【図４】
2013228588.tif 000006
【図５】
2013228588.tif 000007
【図６】
2013228588.tif 000008
【図７】
2013228588.tif 000009
【図８】
2013228588.tif 000010
【図９】
2013228588.tif 000011
【図１０】
2013228588.tif 000012
【図１１】
2013228588.tif 000013
【図１２】
2013228588.tif 000014
【図１３】
2013228588.tif 000015
【図１４】
2013228588.tif 000016
【図１５】
2013228588.tif 000017
【図１６】
2013228588.tif 000018
【図１７】
2013228588.tif 000019
【図１８】
2013228588.tif 000020
【図１９】
2013228588.tif 000021
【図２０】
2013228588.tif 000022
【図２１】
2013228588.tif 000023
【図２２】
2013228588.tif 000024
【図２３】
2013228588.tif 000025
【図２４】
2013228588.tif 000026
【図２５】
2013228588.tif 000027
【図２６】
2013228588.tif 000028
【図２７】
2013228588.tif 000029
【図２８】
2013228588.tif 000030
【図２９】
2013228588.tif 000031
【図３０】
2013228588.tif 000032
【図３１】
2013228588.tif 000033
【図３２】
2013228588.tif 000034
【図３３】
2013228588.tif 000035
【図３４】
2013228588.tif 000036
【図３５】
2013228588.tif 000037
【図３６】
2013228588.tif 000038
【図３７】
2013228588.tif 000039
【図３８】
2013228588.tif 000040
【図３９】
2013228588.tif 000041